(57)【要約】【課題】  ホスティングサービスにアクセスして、会員どうしで短時間にリスク無く商品の買い付け委託が可能な電子マーケットのためのバイヤー端末などを提供する。【解決手段】  バイヤーが買い付け可能な商品を撮影することにより、電子化する画像電子化手段と、商品の買い付け請負のための請負条件を登録フォームに入力させることにより、請負条件に関する登録情報を電子化する条件電子化手段と、電子化された登録情報および画像情報を、バイヤーに関するバイヤー情報とともに電気通信回線を通じて送信し、当該サービスの商品データベースに登録させる商品登録手段と、商品登録手段において登録されるバイヤー情報と関連付けられた電子メールを受信し、この電子メールにより当該サービスが当該商品の買い付け委託を保証するとして、特定の会員による買い付け委託をバイヤーに受け付けさせる委託受付手段とを有している。【選択図】  図１
2005174281.tif 000002
【特許請求の範囲】
【請求項１】
電気通信回線上のサーバコンピュータにて提供されるホスティングサービスに登録している会員による商品の買い付けを、該ホスティングサービスにバイヤーとして登録した登録者が、前記会員に代わって代行するための委託買付システムに用いられ、前記登録者が携行するバイヤー端末であって、
バイヤーとして登録した登録者が買い付け可能な商品を撮影するための撮像手段と、
該撮像手段にて撮像された買い付け可能な商品に関する画像情報を設定様式に則して電子化する画像電子化手段と、
商品の買い付け請負のための請負条件を入力するための入力手段と、
該入力手段から入力された請負条件に関する請負情報を設定様式に則して電子化する条件電子化手段と、
前記画像電子化手段において電子化された画像情報および条件電子化手段において電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録手段と、
該商品データベースへの前記買付商品情報の登録に基づいて前記ホスティングサービスにて実施される各会員からの買付委託の受付けに基づいて、該サーバコンピュータから送信される当該商品の買い付け委託をホスティングサービスの運営者が保証する旨の買付保証電子メールを受信するためのメール受信手段と、
を有していることを特徴とするバイヤー端末。
【請求項２】
前記撮像手段は、買い付け可能な商品を撮影するためのカメラを有していることを特徴とする請求項１にバイヤー端末。
【請求項３】
前記入力手段から入力される前記請負条件は、買い付け可能な請負期限を含むことを特徴とする請求項１または請求項２に記載のバイヤー端末。
【請求項４】
前記商品登録手段は、移動体通信回線を含む電気通信回線を通じて前記買付商品情報を前記サーバコンピュータに送信することを特徴とする請求項１乃至請求項３のいずれかに記載のバイヤー端末。
【請求項５】
前記買付保証電子メールは、商品の代金が買い付け条件通りにホスティングサービスに預託されたことを含むことを特徴とする請求項１乃至請求項４のいずれかに記載のバイヤー端末。
【請求項６】
電気通信回線上のサーバコンピュータにて提供されるホスティングサービスに登録している会員による商品の買い付けを、該ホスティングサービスにバイヤーとして登録した登録者が、前記会員に代わって代行するためのバイヤー端末における買付代行方法であって、
バイヤーが買い付け可能な商品を撮影することにより、当該商品に関する画像情報を設定様式に則して電子化する画像電子化ステップと、
商品の買い付け請負のための請負条件を受付ける請負条件受付けステップと、
該請負条件受付けステップにて受付けた請負条件に関する請負情報を設定様式に則して電子化する条件電子化ステップと、
前記画像電子化ステップにおいて電子化された画像情報および条件電子化ステップにおいて電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録ステップと、
該商品データベースへの前記買付商品情報の登録に基づいて前記ホスティングサービスにて実施される各会員からの買付委託の受付けに基づいて、該サーバコンピュータから送信される当該商品の買い付け委託をホスティングサービスの運営者が保証する旨の買付保証電子メールを受信するためのメール受信ステップと、
を含むことを特徴とするバイヤー端末における買付代行方法。
【請求項７】
前記画像電子化ステップは、買い付け可能な商品を撮影するためのカメラにて撮像された画像情報を電子化することを特徴とすることを特徴とする請求項６に記載のバイヤー端末における買付代行方法。
【請求項８】
前記受付けステップにて受付ける請負条件は、買い付け可能な請負期限を含むことを特徴とする請求項６または請求項７に記載のバイヤー端末における買付代行方法。
【請求項９】
前記商品登録ステップは、移動体通信回線を含む電気通信回線を通じて前記買付商品情報を前記サーバコンピュータに送信することを特徴とする請求項６乃至請求項８のいずれかに記載のバイヤー端末における買付代行方法。
【請求項１０】
前記メール受信ステップにて受信する買付保証電子メールは、商品の代金が買い付け条件通りにホスティングサービスに預託されたことを含むことを特徴とする請求項６乃至請求項９のいずれかに記載の買付代行方法。
【請求項１１】
電気通信回線上のサーバコンピュータにて提供されるホスティングサービスに登録している会員による商品の買い付けを、該ホスティングサービスにバイヤーとして登録した登録者が、前記会員に代わって代行するための委託買付システムであって、
前記サーバコンピュータへの通信機能を備えるとともに、
バイヤーとして登録した登録者が買い付け可能な商品を撮影するための撮像手段と、
該撮像手段にて撮像された買い付け可能な商品に関する画像情報を設定様式に則して電子化する画像電子化手段と、
商品の買い付け請負のための請負条件を入力するための入力手段と、
該入力手段から入力された請負条件に関する請負情報を設定様式に則して電子化する条件電子化手段と、
前記画像電子化手段において電子化された画像情報および条件電子化手段において電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録手段と、
該商品データベースへの前記買付商品情報の登録に基づいて前記ホスティングサービスにて実施される各会員からの買付委託の受付けに基づいて、該サーバコンピュータから送信さる当該商品の買い付け委託をホスティングサービスの運営者が保証する旨の買付保証電子メールを受信するためのメール受信手段と、
を有するバイヤー端末と、
前記ホスティングサービスを提供するサーバコンピュータと、
から成り、
前記サーバコンピュータは、
前記買付商品情報を登録するための商品データベースと、
該商品データベースに登録された各買付商品情報に含まれる商品の画像情報と請負情報とを少なくとも含む商品情報を、電気通信回線を通じて該ホスティングサービスに会員登録している各会員の端末に配信して各商品の買付委託を受付ける買付委託受付手段と、
該買付委託受付手段にて買付委託を受付けた商品の代金の少なくとも一部を、該買付委託を実施した会員に預託させるための処理を行う代金預託手段と、
該代金預託手段における商品代金の預託済み確認に基づいて、前記商品データベースに登録されている当該商品の買付商品情報に含まれるバイヤー情報から特定される登録者に対して、当該商品の買い付け委託をホスティングサービスの運営者が保証する旨の電子メールを送信する買付保証電子メール送信手段と、
当該買付委託を受付けた商品の受け取りが確認された旨の受取確認電子メールを、当該買付委託を実施した会員から受信するための受取確認電子メール受信手段と、
該受取確認電子メール受信手段にて受取確認電子メールを受信したことに基づいて、前記代金預託手段において当該会員により預託されていた預託金を、当該会員に届けられた商品のバイヤーとなった登録者の口座に振り込むための処理を実施する預託金精算手段と、
を有することを特徴とする委託買付システム。
【請求項１２】
前記代金預託手段は、
買付委託を受付けた商品の代金の少なくとも一部となる預託金額の与信を当該買付委託を実施した会員が所有しているかを金融機関に問い合わせるための処理を行う与信問い合わせ処理手段と、
該与信問い合わせ処理手段における与信問い合わせに基づいて金融機関から返信される与信確認情報に基づいて、預託の可否を判定する預託可否判定手段と、
該預託可否判定手段における預託可否の判定結果が預託可であることに基づいて、前記与信問い合わせ処理手段にて問い合わせた預託金額の保全を要求するための使用予約を金融機関に送信する使用予約送信処理手段と、
を含むことを特徴とする請求項１１に記載の委託買付システム。
【請求項１３】
前記代金預託手段は、
買付委託を受付けた商品の代金の決済要求を金融機関に送信するための処理を行う決済要求送信処理手段と、
該決済要求送信処理手段における決済要求の受信に基づいて金融機関から返信される決済の可否の情報を含む決済情報に基づいて、預託の可否を判定する預託可否判定手段と、
を含み、
前記預託金精算手段は、所定期間内に前記受取確認電子メール受信手段にて受取確認電子メールを受信していないことに基づいて、前記代金預託手段において当該会員により預託されていた預託金となる商品の代金を、当該買付委託を行った会員の口座に返却させるための処理を実施するキャンセル処理手段を含むことを特徴とする請求項１１に記載の委託買付システム。
【請求項１４】
前記預託可否判定手段において預託が不可と判定されたときに、当該預託が不可であることを、買付委託を行った会員に通知する通知手段を有することを特徴とする請求項１２または１３に記載の委託買付システム。
【請求項１５】
前記代金預託手段は、買付委託を受付けた商品の代金の少なくとも一部を、ホスティングサービス名義の口座に振り込ませるための処理を行うことを特徴とする請求項１１に記載の委託買付システム。
【請求項１６】
前記サーバコンピュータは、
前記ホスティングサービスに会員登録している各会員の端末から、購入委託を希望する商品に関する情報を受付ける購入委託希望商品受付け手段と、
購入委託希望商品受付け手段にて受付けた購入委託を希望する商品に関する情報を記憶するための購入委託希望商品データベースと、
該購入委託希望商品データベースに記憶された購入委託を希望する商品に関する情報を、バイヤーとして登録した登録者が携行するバイヤー端末に配信して当該商品の購入委託への応募を受付ける応募受付け手段と、
を有し、
前記買付委託受付手段は、該応募受付け手段における応募に基づいて、当該応募した登録者のバイヤー端末から送信される買付予定の商品に関する情報を、該応募された商品の購入委託を希望する会員に対して送信し、当該買付予定の商品の買付委託を受付けることを特徴とする請求項１１乃至請求項１５のいずれかに記載の委託買付システム。
【請求項１７】
前記商品登録手段は、移動体通信回線を含む電気通信回線を通じて前記買付商品情報を前記サーバコンピュータに送信することを特徴とする請求項１１乃至請求項１６のいずれかに記載の委託買付システム。
【請求項１８】
前記代金預託手段は、バイヤーとして登録した登録者が商品ごとに設定した請負期限内において預託を可能とさせていることを特徴とする請求項１１乃至請求項１７のいずれかに記載の委託買付システム。
【請求項１９】
サーバコンピュータは、バイヤーとして登録した登録者を、買い付け委託実績に関してランキングするランキング手段を備え、
前記代金預託手段は、該ランキング手段にてランキングされた当該バイヤーのランキング情報を、会員に対して提示するための処理を実施することを特徴とする請求項１１乃至請求項１８のいずれかに記載の委託買付システム。
【請求項２０】
電気通信回線上のサーバコンピュータにて提供されるホスティングサービスに登録している会員による商品の買い付けを、該ホスティングサービスにバイヤーとして登録した登録者が、前記会員に代わって代行するための委託買付方法であって、
バイヤーとして登録した各登録者が携行するバイヤー端末から、該登録者が買い付け可能な商品の画像を設定様式に則して電子化した画像情報、および商品の買い付け請負のための請負条件を設定様式に則して電子化した請負情報、並びに当該バイヤーとして登録した登録者に関するバイヤー情報とを少なくとも含む買付商品情報を、電気通信回線を通じて受信して商品データベースに登録する商品登録ステップと、
該商品登録ステップにおいて商品データベースに登録された各買付商品情報に含まれる商品の画像情報と請負情報とを少なくとも含む商品情報を、電気通信回線を通じて該ホスティングサービスに会員登録している各会員の端末に配信して各商品の買付委託を受付ける買付委託受付ステップと、
該買付委託受付ステップにて買付委託を受付けた商品の代金の少なくとも一部を、該買付委託を実施した会員に預託させるための処理を行う代金預託ステップと、
該代金預託ステップにおける商品代金の預託済み確認に基づいて、前記商品データベースに登録されている当該商品の買付商品情報に含まれるバイヤー情報から特定される登録者に対して、当該商品の買い付け委託をホスティングサービスの運営者が保証する旨の電子メールを送信する買付保証電子メール送信ステップと、
当該買付委託を受付けた商品の受け取りが確認された旨の受取確認電子メールを、当該買付委託を実施した会員から受信するための受取確認電子メール受信ステップと、
該受取確認電子メール受信ステップにて受取確認電子メールを受信したことに基づいて、前記代金預託ステップにおいて当該会員により預託されていた預託金を、当該会員に届けられた商品のバイヤーとなった登録者の口座に振り込むための処理を実施する預託金精算ステップと、
を含むことを特徴とする委託買付方法。
【請求項２１】
前記代金預託ステップは、
買付委託を受付けた商品の代金の少なくとも一部となる預託金額の与信を当該買付委託を実施した会員が所有しているかを金融機関に問い合わせるための処理を行う与信問い合わせ処理ステップと、
該与信問い合わせ処理ステップにおける与信問い合わせに基づいて金融機関から返信される与信確認情報に基づいて、預託の可否を判定する預託可否判定ステップと、
該預託可否判定ステップにおける預託可否の判定結果が預託可であることに基づいて、前記与信問い合わせ処理ステップにて問い合わせた預託金額の保全を要求するための使用予約を金融機関に送信する使用予約送信処理ステップと、
を含むことを特徴とする請求項２０に記載の委託買付方法。
【請求項２２】
前記代金預託ステップは、
買付委託を受付けた商品の代金の決済要求を金融機関に送信するための処理を行う決済要求送信処理ステップと、
該決済要求送信処理ステップにおける決済要求の受信に基づいて金融機関から返信される決済の可否の情報を含む決済情報に基づいて、預託の可否を判定する預託可否判定ステップと、
を含み、
前記預託金精算ステップは、所定期間内に前記受取確認電子メール受信ステップにて受取確認電子メールを受信していないことに基づいて、前記代金預託ステップにおいて当該会員により預託されていた預託金となる商品の代金を、当該買付委託を行った会員の口座に返却させるための処理を実施するキャンセル処理ステップを含むことを特徴とする請求項２０に記載の委託買付方法。
【請求項２３】
前記預託可否判定ステップにおいて預託が不可と判定されたときに、当該預託が不可であることを、買付委託を行った会員に通知する通知ステップを含むことを特徴とする請求項２１または２２に記載の委託買付方法。
【請求項２４】
前記代金預託ステップでは、買付委託を受付けた商品の代金の少なくとも一部を、ホスティングサービス名義の口座に振り込ませるための処理を行うことを特徴とする請求項２０に記載の委託買付方法。
【請求項２５】
前記ホスティングサービスに会員登録している各会員から、購入委託を希望する商品に関する情報を受付ける購入委託希望商品受付けステップと、
購入委託希望商品受付けステップにて受付けた購入委託を希望する商品に関する情報を購入委託希望商品データベースに記憶する購入委託希望商品情報記憶ステップと、
該購入委託希望商品情報記憶ステップにて購入委託希望商品データベースに記憶された購入委託を希望する商品に関する情報を、バイヤーとして登録した登録者が携行するバイヤー端末に配信して当該商品の購入委託への応募を受付ける応募受付けステップと、
を含み、
前記買付委託受付ステップにおいては、該応募受付けステップにおける応募に基づいて、当該応募した登録者のバイヤー端末から送信される買付予定の商品に関する情報を、該応募された商品の購入委託を希望する会員に対して送信し、当該買付予定の商品の買付委託を受付けることを特徴とする請求項２０乃至請求項２４のいずれかに記載の委託買付方法。
【請求項２６】
商品登録ステップでは、移動体通信回線を含む電気通信回線を通じて前記買付商品情報を前記バイヤー端末から受信することを特徴とする請求項２０乃至請求項２５のいずれかに記載の委託買付方法。
【請求項２７】
前記代金預託ステップでは、バイヤーとして登録した登録者が商品ごとに設定した請負期限内において預託を可能とさせていることを特徴とする請求項２０乃至請求項２６のいずれかに記載の委託買付方法。
【請求項２８】
バイヤーとして登録した登録者を、買い付け委託実績に関してランキングするランキングステップを含み、
前記代金預託ステップでは、該ランキングステップにてランキングされた当該バイヤーのランキング情報を、会員に対して提示するための処理を実施することを特徴とする請求項２０乃至請求項２７のいずれかに記載の委託買付方法。
【請求項２９】
請求項６乃至請求項１０および請求項２０乃至請求項２８のいずれかに記載の方法をコンピューターに実行させるためのプログラム。
【請求項３０】
請求項６乃至請求項１０および請求項２０乃至請求項２８のいずれかに記載の方法をコンピューターに実行させるためのプログラムが記録されていることを特徴とするコンピューター読み取り可能な記録媒体。
【発明の詳細な説明】
【技術分野】
【０００１】
本発明は、バイヤー端末、買付代行方法、委託買付システムおよび委託買付方法に関し、たとえば、カメラ付きの携帯電話機および携帯用データ端末に適用できる端末、システムおよび方法に関する。
【背景技術】
【０００２】
従来より、ホスティングサービスに登録した会員どうしに、インターネットを通じて所定のサイトにアクセスさせ、私設オークションの売り手および買い手を演じさせるためのシステムが種々提案されている。このようなシステムでは、会員がパーソナルコンピュータなどを操作することにより、オークションの出品物に関して、入札条件とともに画像などを当該サイトの管理サーバにアップロードさせるものが知られている。会員には、趣味と実益を兼ねた個人も多く、これらの操作を時間的な余裕があるときに楽しみながら行っている。興味ある出品物に応札したい会員は、自分なりに落札価格の値踏みをしつつ、よく検討して有利な入札をしたいと思っている。
【発明の開示】
【発明が解決しようとする課題】
【０００３】
しかしながら、上述したような従来技術においては、次のような課題があった。
（１）出品者となる会員は、より多くの会員に投票してもらい、少しでも入札価格を引き上げたいので、入札の締め切りを、ある程度長めに設定して余裕を持たせている。したがって、きわめて短時間に、あるいは即刻、入札を締め切るようなニーズに応えるものではなかった。たとえば、外出先の街中で、たまたまセンスの良い特売品などを見付けても、その場でオークションサイトにアクセスなどするのは、実用上から言って甚だ困難であった。そのように気軽なゲーム感覚を誘うものではなく、ましてや、突発的にマネーゲーム性を感じるような動機付けになることもなかった。
（２）このような掘り出し物は、必ずしも知名度の高いブランド品とは限らず、また、出品者が実際に使用していたわけでもないので、使用法や製造状態など必要以上に詳しい商品説明はできない。したがって、買い付けを委託したい会員は、自分の目で実際の商品を見たい、しかも代金の支払い前に、これらを確認しておきたいと考えるので、商品の画像を提供することが不可欠である。しかも、街中でたまたま見付けたのだから、そのとき直ちに画像をアップロードしておくことが、手順として、きわめて重要であるにもかかわらず、バーチャル世界と現実世界とを整合させる配慮に欠けていた。
（３）出品物は、一般に会員自身の所有物である場合が多く、落札価格が低額に止まっても、たとえ落札されなかったとしても、直ちに出品者が経済的リスクを負うとは考えにくく、応札者が、その小売価格より高めを予想して入札するとは限らない。ところが、買い付けを委託されてバイヤーとなった会員にとっては、その多くが個人であるから、特に、このような競売のリスクを避けつつ、所望の手数料を原価に上乗せして買い付けを請け負いたいので、確実に所定代金の決済が保証されなければならなかった。このように、オークションシステムによるホスティングサービスでは、買い付けを委託する会員と請け負う会員との間で、双方のリスクが解消される合理的な電子マーケットを提供することはできなかった。
【０００４】
本発明は、上記事情に鑑みて為されたもので、電気通信回線を通じてホスティングサービスにアクセスすることにより、会員どうしで短時間にリスク無く商品の買い付け委託が可能な電子マーケットのためのバイヤー端末、買付代行方法、委託買付システム、委託買付方法、プログラムおよび記録媒体を提供することを目的とする。
【課題を解決するための手段】
【０００５】
上記課題を解決するために、本発明の請求項１に記載のバイヤー端末は、
電気通信回線上のサーバコンピュータにて提供されるホスティングサービスに登録している会員による商品の買い付けを、該ホスティングサービスにバイヤーとして登録した登録者が、前記会員に代わって代行するための委託買付システムに用いられ、前記登録者が携行するバイヤー端末であって、
バイヤーとして登録した登録者が買い付け可能な商品を撮影するための撮像手段と、
該撮像手段にて撮像された買い付け可能な商品に関する画像情報を設定様式に則して電子化する画像電子化手段と、
商品の買い付け請負のための請負条件を入力するための入力手段と、
該入力手段から入力された請負条件に関する請負情報を設定様式に則して電子化する条件電子化手段と、
前記画像電子化手段において電子化された画像情報および条件電子化手段において電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録手段と、
該商品データベースへの前記買付商品情報の登録に基づいて前記ホスティングサービスにて実施される各会員からの買付委託の受付けに基づいて、該サーバコンピュータから送信される当該商品の買い付け委託をホスティングサービスの運営者が保証する旨の買付保証電子メールを受信するためのメール受信手段と、
を有していることを特徴としている。
この特徴によれば、バイヤーが、商品の画像などを含む買い付け請負条件をその場から電気通信回線を通じて当該サービスに登録でき、会員からの買い付け委託を受け付け得る。また、会員の買い付け委託が保証され、商品を会員に発送すれば代金が支払われる。したがって、電気通信回線を通じてホスティングサービスにアクセスすることにより、会員どうしで短時間にリスク無く商品の買い付け委託が可能な電子マーケットのためのバイヤー端末を提供することができるようになる。つまり、各会員が、会員各自の必要に応じて、買い付けを請け負うバイヤーにも、買い付けを委託する顧客にもなり得る。バイヤーになる場合には、ホスティングサービスとの通信において相互のセキュリティを確保するための一般的な会員情報の他に、買い付けを請け負った商品の代金を当該サービスから振り込ませるための口座番号などを必要とする。そこで、会員登録とともに、口座番号などバイヤーとしての属性情報を、たとえば当該サービスの会員データベースにあらかじめ登録させ、また、本端末の商品登録手段および委託買付手段に設定しておく。このように登録したバイヤーが、たまたま外出先で掘り出し物を見付けると、その画像を、画像電子化手段により、直ちに撮影して、設定様式の画像情報が編成される。また、条件電子化手段により、当該サービスの出品用ページにアクセスして、バイヤーのための商品の登録フォームを開くことができる。この登録フォームに、バイヤーが所定事項をキー入力などすると、設定様式の登録情報が編成され、商品登録手段により、これら画像情報および登録情報が電気通信回線に送出されるとともに、委託買付手段に委託待ち案件として通知される。このときに、前記バイヤー情報が画像情報などに付加されるので、当該サービスにおいて、バイヤーの認証、商品の出品登録、画像情報などのアップロード、買い付け委託および代金振り込みの各通知を含む所定の通信手順が遂行される。すなわち、当該サービスにおいて買い付け委託が発生すると、委託受付手段によって、当該サービスからバイヤー宛ての電子メールを受信することにより、前記委託待ち案件のいずれかについて、会員を特定して買い付け委託が保証され、所定手順で当該バイヤーの請負案件として受け付けられる。このようなバイヤー情報には、会員に関する会員情報とバイヤーの属性に関する属性情報とがある。会員情報としては、メールアドレス、識別符号、商品の納品先および与信情報などが挙げられ、また、属性情報として、バイヤー端末の識別符号、公開個人情報（顔写真を含む）、振込先情報および返品先情報が挙げられる。請負情報としては、商品の検索キーワード、公開商品情報、買い付け先の在庫数、請負期限、請負単価、ならびに、代金の預託、商品引き換え払いおよび後払いの区別などが挙げられる。
【０００６】
本発明の請求項２に記載のバイヤー端末は、請求項１に記載のバイヤー端末であって、
前記撮像手段は、買い付け可能な商品を撮影するためのカメラを有していることを特徴としている。
この特徴によれば、請求項１に記載の発明と同様の効果を得ることができるのは勿論のこと、商品の画像情報が所定様式で買付商品情報などに統合されて容易に商品データベースに取り込まれるので、バイヤーが商品の画像を素早く登録できる。
【０００７】
本発明の請求項３に記載のバイヤー端末は、請求項１または２に記載のバイヤー端末であって、
前記入力手段から入力される前記請負条件は、買い付け可能な請負期限を含むことを特徴としている。
この特徴によれば、請求項１または請求項２に記載の発明と同様の効果を得ることができるのは勿論のこと、請負期限が所定様式で登録情報に統合されて容易に商品データベースに登録される。この請負期限により、たとえば、買い付け委託の受け付けを打ち切り、また、各会員による代金決済の不成立が判定できれば、バイヤーの経済的リスクを解消し得る。商品データベースでは、各会員による商品代金の少なくとも一部の預託が、請負期限内に確認できれば、バイヤーおよび当該サービスの経済的リスクを解消し得るので、バイヤーが、ライフスタイルを崩すことなく、短時間に買い付け請負を完了でき、また、状況に応じて経済的なリスクを解消し得る。
【０００８】
本発明の請求項４に記載のバイヤー端末は、請求項１乃至３のいずれかに記載のバイヤー端末であって、
前記商品登録手段は、移動体通信回線を含む電気通信回線を通じて前記買付商品情報を前記サーバコンピュータに送信することを特徴としている。
この特徴によれば、請求項１乃至請求項３のいずれかに記載の発明と同様の効果を得ることができるのは勿論のこと、バイヤーが、移動体通信を利用できるので、外出先などから容易に買い付け請負を実行できる。つまり、画像情報などが携帯端末から送信でき、また、通信手順が異なる電気通信回線を経由させることができる。商品データベースを備えるサーバコンピュータを、移動体通信回線上その他の電気通信回線上に設置できる。また、バイヤーが、ライフスタイルを変えずに行動しつつ、外出先であっても、その場で買い付けを請け負い得る。
【０００９】
本発明の請求項５に記載のバイヤー端末は、請求項１乃至請求項４のいずれかに記載のバイヤー端末であって、
前記買付保証電子メールは、商品の代金が買い付け条件通りにホスティングサービスに預託されたことを含むことを特徴としている。
この特徴によれば、このように預託された旨が電子メールにより通知され、たとえば、預託内容が買い付け条件と照合できるなど、バイヤーの経済的リスクを避けるための保証とし得る。つまり、請求項１乃至請求項４のいずれかに記載の発明と同様の効果を得ることができるのは勿論のこと、代金の預託および保証により、バイヤーの経済的リスクが避け得る。
【００１０】
本発明の請求項６に記載のバイヤー端末における買付代行方法は、
電気通信回線上のサーバコンピュータにて提供されるホスティングサービスに登録している会員による商品の買い付けを、該ホスティングサービスにバイヤーとして登録した登録者が、前記会員に代わって代行するためのバイヤー端末における買付代行方法であって、
バイヤーが買い付け可能な商品を撮影することにより、当該商品に関する画像情報を設定様式に則して電子化する画像電子化ステップと、
商品の買い付け請負のための請負条件を受付ける請負条件受付けステップと、
該請負条件受付けステップにて受付けた請負条件に関する請負情報を設定様式に則して電子化する条件電子化ステップと、
前記画像電子化ステップにおいて電子化された画像情報および条件電子化ステップにおいて電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録ステップと、
該商品データベースへの前記買付商品情報の登録に基づいて前記ホスティングサービスにて実施される各会員からの買付委託の受付けに基づいて、該サーバコンピュータから送信される当該商品の買い付け委託をホスティングサービスの運営者が保証する旨の買付保証電子メールを受信するためのメール受信ステップと、
を含むことを特徴としている。
この特徴によれば、バイヤーが、商品の画像などを含む買い付け請負条件をその場から電気通信回線を通じて当該サービスに登録でき、会員からの買い付け委託を受け付け得る。また、会員の買い付け委託が保証され、商品を会員に発送すれば代金が支払われる。したがって、電気通信回線を通じてホスティングサービスにアクセスすることにより、会員どうしで短時間にリスク無く商品の買い付け委託が可能となる委託買付システム用のバイヤー端末における好適な買付代行方法を提供できる。つまり、各会員が、会員各自の必要に応じて、買い付けを請け負うバイヤーにも、買い付けを委託する顧客にもなり得る。バイヤーになる場合には、ホスティングサービスとの通信において相互のセキュリティを確保するための一般的な会員情報の他に、買い付けを請け負った商品の代金を当該サービスから振り込ませるための口座番号などを必要とする。そこで、会員登録とともに、口座番号などバイヤーとしての属性情報を、たとえば当該サービスの会員データベースにあらかじめ登録させ、また、本端末の商品登録ステップ等において設定しておく。このように登録したバイヤーが、たまたま外出先で掘り出し物を見付けると、その画像を、画像電子化ステップにおいて、直ちに撮影して、設定様式の画像情報が編成される。また、条件電子化ステップにおいて、当該サービスの出品用ページにアクセスして、バイヤーのための商品の登録フォームを開くことができる。この登録フォームに、バイヤーが所定事項をキー入力などすると、設定様式の請負情報が編成され、商品登録ステップにおいて、これら画像情報および請負情報が電気通信回線に送出されるとともに、委託買付ステップに委託待ち案件として通知される。このときに、前記バイヤー情報が画像情報などに付加されるので、当該サービスにおいて、バイヤーの認証、商品の出品登録、画像情報などのアップロード、買い付け委託および代金振り込みの各通知を含む所定の通信手順が遂行される。すなわち、当該サービスにおいて買い付け委託が発生すると、委託受付ステップにおいて、当該サービスからバイヤー宛ての電子メールを受信することにより、前記委託待ち案件のいずれかについて、会員を特定して買い付け委託が保証され、所定手順で当該バイヤーの請負案件として受け付けられる。このようなバイヤー情報には、会員に関する会員情報とバイヤーの属性に関する属性情報とがある。会員情報としては、メールアドレス、会員ＩＤ、納品先および与信情報などが挙げられ、また、属性情報として、バイヤー端末の識別番号、公開個人情報（顔写真を含む）、振込先情報および返品先情報が挙げられる。請負情報としては、商品の検索キーワード、公開商品情報、買い付け先の在庫数、請負期限、請負単価、ならびに、前金、受け取り払いおよび後払いの区別などが挙げられる。
【００１１】
本発明の請求項７に記載のバイヤー端末における買付代行方法は、請求項６に記載のバイヤー端末における買付代行方法であって、
前記画像電子化ステップは、買い付け可能な商品を撮影するためのカメラにて撮像された画像情報を電子化することを特徴としている。
この特徴によれば、請求項６に記載の発明と同様の効果を得ることができるのは勿論のこと、商品の画像情報が所定様式で買付商品情報などに統合されて容易に商品データベースに取り込まれるので、バイヤーが商品の画像を素早く登録できる。
【００１２】
本発明の請求項８に記載のバイヤー端末における買付代行方法は、請求項６または請求項７に記載のバイヤー端末における買付代行方法であって、
前記受付けステップにて受付ける請負条件は、買い付け可能な請負期限を含むことを特徴としている。
この特徴によれば、請求項６または請求項７に記載の発明と同様の効果を得ることができるのは勿論のこと、請負期限が所定様式で登録情報に統合されて容易に商品データベースに登録される。この請負期限により、たとえば、買い付け委託の受け付けを打ち切り、また、各会員による代金決済の不成立が判定できれば、バイヤーの経済的リスクを解消し得る。商品データベースでは、各会員による商品代金の少なくとも一部の預託が、請負期限内に確認できれば、バイヤーおよび当該サービスの経済的リスクを解消し得るので、バイヤーが、ライフスタイルを崩すことなく、短時間に買い付け請負を完了でき、また、状況に応じて経済的なリスクを解消し得る。
【００１３】
本発明の請求項９に記載のバイヤー端末における買付代行方法は、請求項６乃至請求項８のいずれかに記載のバイヤー端末における買付代行方法であって、
前記商品登録ステップは、移動体通信回線を含む電気通信回線を通じて前記買付商品情報を前記サーバコンピュータに送信することを特徴としている。
この特徴によれば、請求項６乃至請求項８のいずれかに記載の発明と同様の効果を得ることができるのは勿論のこと、バイヤーが、移動体通信を利用できるので、外出先などから容易に買い付け請負を実行できる。つまり、画像情報などが携帯端末から送信でき、また、通信手順が異なる電気通信回線を経由させることができる。商品データベースを備えるサーバコンピュータを、移動体通信回線上その他の電気通信回線上に設置できる。また、バイヤーが、ライフスタイルを変えずに行動しつつ、外出先であっても、その場で買い付けを請け負い得る。
【００１４】
本発明の請求項１０に記載のバイヤー端末における買付代行方法は、請求項６乃至請求項９のいずれかに記載の買付代行方法であって、
前記メール受信ステップにて受信する買付保証電子メールは、商品の代金が買い付け条件通りにホスティングサービスに預託されたことを含むことを特徴としている。
この特徴によれば、このように預託された旨が電子メールにより通知され、たとえば、預託内容が買い付け条件と照合できるなど、バイヤーの経済的リスクを避けるための保証とし得る。つまり、請求項６乃至請求項９のいずれかに記載の発明と同様の効果を得ることができるのは勿論のこと、代金の預託および保証により、バイヤーの経済的リスクが避け得る。
【００１５】
本発明の請求項１１に記載のバイヤー端末における委託買付システムは、
電気通信回線上のサーバコンピュータにて提供されるホスティングサービスに登録している会員による商品の買い付けを、該ホスティングサービスにバイヤーとして登録した登録者が、前記会員に代わって代行するための委託買付システムであって、
前記サーバコンピュータへの通信機能を備えるとともに、
バイヤーとして登録した登録者が買い付け可能な商品を撮影するための撮像手段と、
該撮像手段にて撮像された買い付け可能な商品に関する画像情報を設定様式に則して電子化する画像電子化手段と、
商品の買い付け請負のための請負条件を入力するための入力手段と、
該入力手段から入力された請負条件に関する請負情報を設定様式に則して電子化する条件電子化手段と、
前記画像電子化手段において電子化された画像情報および条件電子化手段において電子化された請負情報、並びに当該バイヤーとして登録した登録者に関するバイヤー情報とを少なくとも含む買付商品情報を、電気通信回線を通じて前記ホスティングサービスを提供するサーバコンピュータに送信して、該サーバコンピュータの商品データベースに登録させる商品登録手段と、
該商品データベースへの前記買付商品情報の登録に基づいて前記ホスティングサービスにて実施される各会員からの買付委託の受付けに基づいて、該サーバコンピュータから送信さる当該商品の買い付け委託をホスティングサービスの運営者が保証する旨の買付保証電子メールを受信するためのメール受信手段と、
を有するバイヤー端末と、
前記ホスティングサービスを提供するサーバコンピュータと、
から成り、
前記サーバコンピュータは、
前記買付商品情報を登録するための商品データベースと、
該商品データベースに登録された各買付商品情報に含まれる商品の画像情報と請負情報とを少なくとも含む商品情報を、電気通信回線を通じて該ホスティングサービスに会員登録している各会員の端末に配信して各商品の買付委託を受付ける買付委託受付手段と、
該買付委託受付手段にて買付委託を受付けた商品の代金の少なくとも一部を、該買付委託を実施した会員に預託させるための処理を行う代金預託手段と、
該代金預託手段における商品代金の預託済み確認に基づいて、前記商品データベースに登録されている当該商品の買付商品情報に含まれるバイヤー情報から特定される登録者に対して、当該商品の買い付け委託をホスティングサービスの運営者が保証する旨の電子メールを送信する買付保証電子メール送信手段と、
当該買付委託を受付けた商品の受け取りが確認された旨の受取確認電子メールを、当該買付委託を実施した会員から受信するための受取確認電子メール受信手段と、
該受取確認電子メール受信手段にて受取確認電子メールを受信したことに基づいて、前記代金預託手段において当該会員により預託されていた預託金を、当該会員に届けられた商品のバイヤーとなった登録者の口座に振り込むための処理を実施する預託金精算手段と、
を有することを特徴としている。
この特徴によれば、バイヤーに対して、商品の画像などを含む買い付け請負条件をその場から電気通信回線を通じて当該サービスに登録させ、会員からの買い付け委託を受け付けさせ得る。また、会員に対して、商品の代金を預託させ、受け取り確認を通知させ得る。さらに、会員の買い付け委託をバイヤーに保証し、商品の受け取り確認後に代金或いは該代金の一部となる預託金を支払うことができる。したがって、電気通信回線を通じてホスティングサービスにアクセスすることにより、会員どうしで短時間にリスク無く商品の買い付け委託が可能な電子マーケットのための委託買付システムを提供することができるようになる。つまり、各会員が、会員各自の必要に応じて、買い付けを請け負うバイヤーにも、買い付けを委託する顧客にもなり得る。バイヤーになる場合には、ホスティングサービスとの通信において相互のセキュリティを確保するための一般的な会員情報の他に、買い付けを請け負った商品の代金を当該サービスから振り込ませるための口座番号などを必要とする。そこで、会員登録とともに、口座番号などバイヤーとしての属性情報をあらかじめ登録させ、たとえば当該サービスの会員データベースに設定しておく。このように登録したバイヤーが、外出先で掘り出し物の商品を見付けたときに、当該サービスにおいて出品用ページにアクセスすると、バイヤーのための商品の登録フォームが、バイヤー端末に送信されて開かれる。この登録フォームにおいて、キー入力などされた所定事項に基づく登録情報が、設定様式で編成されて電気通信回線に送出される。これにより、当該サービスにおいて、バイヤーの認証、商品の出品登録、画像情報などのアップロード、買い付け委託および代金預託の各通知を含む所定の通信手順を遂行できる。商品データベース上に商品の登録情報（買付商品情報）が保存（登録）されると、代金預託手段によって、当該登録情報が各会員端末から検索かつ閲覧可能になるとともに、当該サービスが会員の買い付け委託を募っている。たとえば、会員が、特定の商品を選択して買い付け委託を指示すると、その商品の登録情報に基づいて代金の預託処理が実行される。この預託処理において手続きされた預託内容が当該会員と関連付けられる。代金振替手段により、会員の預託内容が要件通りに確認できると、当該サービスが買い付け委託の受け付けをバイヤーに保証し、かつ、会員から商品の受け取り確認が報告されると、商品の代金をバイヤーに支払っている。すなわち、預託内容がバイヤーの請負条件を満たせば、預託済みをバイヤーに報告し、また、会員による商品の受け取り確認が買い付け委託通りであれば、預託済みの代金をバイヤーに振り替える。前記一般的な会員情報として、メールアドレス、会員ＩＤ、納品先および与信情報などが挙げられ、また、バイヤーの属性情報として、バイヤー端末の識別番号、公開個人情報（顔写真を含む）、振込先情報および返品先情報が挙げられる。登録情報には、買い付け請負に関する請負情報、商品の画像情報、および、バイヤー端末のバイヤー情報などがある。請負情報としては、商品の検索キーワード、公開商品情報、買い付け先の在庫数、請負期限、請負単価、ならびに、前金、受け取り払いおよび後払いの区別などが挙げられ、また、バイヤー情報として、前記属性情報と関係付けられた会員情報など（たとえば、メールアドレス、会員ＩＤ）が挙げられる。バイヤー端末としては、バイヤーに携帯（携行）させ、かつ、商品を撮影できるカメラ付き携帯端末（たとえば、携帯電話機、ＰＤＡ（Portable Data Assistance）が挙げられる。
【００１６】
本発明の請求項１２に記載の委託買付システムは、請求項１１に記載の委託買付システムであって、
前記代金預託手段は、
買付委託を受付けた商品の代金の少なくとも一部となる預託金額の与信を当該買付委託を実施した会員が所有しているかを金融機関に問い合わせるための処理を行う与信問い合わせ処理手段と、
該与信問い合わせ処理手段における与信問い合わせに基づいて金融機関から返信される与信確認情報に基づいて、預託の可否を判定する預託可否判定手段と、
該預託可否判定手段における預託可否の判定結果が預託可であることに基づいて、前記与信問い合わせ処理手段にて問い合わせた預託金額の保全を要求するための使用予約を金融機関に送信する使用予約送信処理手段と、
を含むことを特徴としている。
この特徴によれば、請求項１１に記載の発明と同様の効果を得ることができるのは勿論のこと、金融機関に与信を問い合わせて与信による預託の可否を判定することで、預託金額の決済が不能となるようなことを回避できるばかりか、使用予約を金融機関に送信することで、与信からの預託金額の保全が実施されるようになり、預託の実施以降に与信が使用されて預託金額の決済が不能となるようなことも回避できる。
【００１７】
本発明の請求項１３に記載の委託買付システムは、請求項１１に記載の委託買付システムであって、
前記代金預託手段は、
買付委託を受付けた商品の代金の決済要求を金融機関に送信するための処理を行う決済要求送信処理手段と、
該決済要求送信処理手段における決済要求の受信に基づいて金融機関から返信される決済の可否の情報を含む決済情報に基づいて、預託の可否を判定する預託可否判定手段と、
を含み、
前記預託金精算手段は、所定期間内に前記受取確認電子メール受信手段にて受取確認電子メールを受信していないことに基づいて、前記代金預託手段において当該会員により預託されていた預託金となる商品の代金を、当該買付委託を行った会員の口座に返却させるための処理を実施するキャンセル処理手段を含むことを特徴としている。
この特徴によれば、請求項１１に記載の発明と同様の効果を得ることができるのは勿論のこと、預託において商品の代金の決済が実施されるので、ホステングサービスを運営する運営者の口座に早期に商品の代金を回収でき、よって、買付を実施したバイヤーとなった登録者への代金の支払いとの期間差を低減または皆無にでき、これらの負担を軽減できるばかりか、これら預託金となる商品の代金が決済できないことによる損失を大幅に低減できるとともに、金融機関とのやり取りを含む預託に関する処理の処理負荷を低減できる。
【００１８】
本発明の請求項１４に記載の委託買付システムは、請求項１２または１３に記載の委託買付システムであって、
前記預託可否判定手段において預託が不可と判定されたときに、当該預託が不可であることを、買付委託を行った会員に通知する通知手段を有することを特徴としている。
この特徴によれば、請求項１２または請求項１３に記載の発明と同様の効果を得ることができるのは勿論のこと、買付委託を行った会員は、預託が不可であったことを認識でき、これら預託が不可で商品の買付がなされなかったことに伴うトラブルの発生を未然に防止することができる。
【００１９】
本発明の請求項１５に記載の委託買付システムは、請求項１１に記載の委託買付システムであって、
前記代金預託手段は、買付委託を受付けた商品の代金の少なくとも一部を、ホスティングサービス名義の口座に振り込ませるための処理を行うことを特徴としている。
この特徴によれば、請求項１１に記載の発明と同様の効果を得ることができるのは勿論のこと、バイヤーの経済的なリスクを解消しつつ、小額決済において会員の便宜を図り得る。
【００２０】
本発明の請求項１６に記載の委託買付システムは、請求項１１乃至請求項１５のいずれかに記載の委託買付システムであって、
前記サーバコンピュータは、
前記ホスティングサービスに会員登録している各会員の端末から、購入委託を希望する商品に関する情報を受付ける購入委託希望商品受付け手段と、
購入委託希望商品受付け手段にて受付けた購入委託を希望する商品に関する情報を記憶するための購入委託希望商品データベースと、
該購入委託希望商品データベースに記憶された購入委託を希望する商品に関する情報を、バイヤーとして登録した登録者が携行するバイヤー端末に配信して当該商品の購入委託への応募を受付ける応募受付け手段と、
を有し、
前記買付委託受付手段は、該応募受付け手段における応募に基づいて、当該応募した登録者のバイヤー端末から送信される買付予定の商品に関する情報を、該応募された商品の購入委託を希望する会員に対して送信し、当該買付予定の商品の買付委託を受付けることを特徴としている。
この特徴によれば、請求項１１乃至請求項１５のいずれかに記載の発明と同様の効果を得ることができるのは勿論のこと、会員は自分が買付を希望する商品をリクエストすることができるとともに、バイヤーとなる登録者（会員）は、これら買付を希望する商品を検索、閲覧して、買付予定の商品に対して買付希望者がいるか否かを確認でき、買付予定の商品の情報が買付希望者に対して送信されるようになるので、迅速且つ効率良く買付を実施でき、会員の利便性を向上できる。
【００２１】
本発明の請求項１７に記載の委託買付システムは、請求項１１乃至請求項１６に記載の委託買付システムであって、
前記商品登録手段は、移動体通信回線を含む電気通信回線を通じて前記買付商品情報を前記サーバコンピュータに送信することを特徴としている。
この特徴によれば、請求項１１乃至請求項１６のいずれかに記載の発明と同様の効果を得ることができるのは勿論のこと、バイヤーに移動体通信を利用させるので、外出先などから商品の画像を含めて素早く登録させることができる。また、バイヤーが、ライフスタイルを変えずに行動しつつ、外出先であっても、その場で買い付けを請け負い得る。
【００２２】
本発明の請求項１８に記載の委託買付システムは、請求項１１乃至請求項１７のいずれかに記載の委託買付システムであって、
前記代金預託手段は、バイヤーとして登録した登録者が商品ごとに設定した請負期限内において預託を可能とさせていることを特徴としている。
この特徴によれば、請求項１１乃至１７のいずれかに記載の発明と同様の効果を得ることができるのは勿論のこと、バイヤーに対して、経済的リスクを解消しつつ、短時間のうちに買い付け請負を完了させ得る。つまり、請負期限が例えば商品データベースに登録される。この請負期限により、たとえば、買い付け委託の受け付けを打ち切り、また、各会員による代金決済の不成立が判定できれば、バイヤーの経済的リスクを解消し得る。商品データベースでは、各会員による代金の預託が、この請負期限内に確認できれば、バイヤーおよび当該サービスの経済的リスクを解消し得る。
【００２３】
本発明の請求項１９に記載の委託買付システムは、請求項１１乃至請求項１８のいずれかに記載の委託買付システムであって、
サーバコンピュータは、バイヤーとして登録した登録者を、買い付け委託実績に関してランキングするランキング手段を備え、
前記代金預託手段は、該ランキング手段にてランキングされた当該バイヤーのランキング情報を、会員に対して提示するための処理を実施することを特徴としている。
この特徴によれば、請求項１１乃至１８のいずれかに記載の発明と同様の効果を得ることができるのは勿論のこと、会員がバイヤーを選択し易くなり、バイヤーの買い付け請負を奨励できる。また、会員からの買い付け委託の件数または預託額を、バイヤーごとに統計処理して開示することにより、会員がバイヤーを選択するときの判断情報にでき、また、バイヤーが会員に実績を顕示できる。このようなランキング情報として、累積および所定期間内の合計件数または合計振替額、もしくは、いずれかについて全バイヤーの実績合計における占有率が挙げられる。
【００２４】
本発明の請求項２０に記載の委託買付方法は、
電気通信回線上のサーバコンピュータにて提供されるホスティングサービスに登録している会員による商品の買い付けを、該ホスティングサービスにバイヤーとして登録した登録者が、前記会員に代わって代行するための委託買付方法であって、
バイヤーとして登録した各登録者が携行するバイヤー端末から、該登録者が買い付け可能な商品の画像を設定様式に則して電子化した画像情報、および商品の買い付け請負のための請負条件を設定様式に則して電子化した請負情報、並びに当該バイヤーとして登録した登録者に関するバイヤー情報とを少なくとも含む買付商品情報を、電気通信回線を通じて受信して商品データベースに登録する商品登録ステップと、
該商品登録ステップにおいて商品データベースに登録された各買付商品情報に含まれる商品の画像情報と請負情報とを少なくとも含む商品情報を、電気通信回線を通じて該ホスティングサービスに会員登録している各会員の端末に配信して各商品の買付委託を受付ける買付委託受付ステップと、
該買付委託受付ステップにて買付委託を受付けた商品の代金の少なくとも一部を、該買付委託を実施した会員に預託させるための処理を行う代金預託ステップと、
該代金預託ステップにおける商品代金の預託済み確認に基づいて、前記商品データベースに登録されている当該商品の買付商品情報に含まれるバイヤー情報から特定される登録者に対して、当該商品の買い付け委託をホスティングサービスの運営者が保証する旨の電子メールを送信する買付保証電子メール送信ステップと、
当該買付委託を受付けた商品の受け取りが確認された旨の受取確認電子メールを、当該買付委託を実施した会員から受信するための受取確認電子メール受信ステップと、
該受取確認電子メール受信ステップにて受取確認電子メールを受信したことに基づいて、前記代金預託ステップにおいて当該会員により預託されていた預託金を、当該会員に届けられた商品のバイヤーとなった登録者の口座に振り込むための処理を実施する預託金精算ステップと、
を含むことを特徴としている。
この特徴によれば、バイヤーに対して、商品の画像などを含む買い付け請負条件をその場から電気通信回線を通じて当該サービスに登録させ、会員からの買い付け委託を受け付けさせ得る。また、会員に対して、商品の代金を預託させ、受け取り確認を通知させ得る。さらに、会員の買い付け委託をバイヤーに保証し、商品の受け取り確認後に代金或いは該代金の一部となる預託金を支払うことができる。したがって、電気通信回線を通じてホスティングサービスにアクセスすることにより、会員どうしで短時間にリスク無く商品の買い付け委託が可能な電子マーケットのための委託買付システムを提供することができるようになる。つまり、各会員が、会員各自の必要に応じて、買い付けを請け負うバイヤーにも、買い付けを委託する顧客にもなり得る。バイヤーになる場合には、ホスティングサービスとの通信において相互のセキュリティを確保するための一般的な会員情報の他に、買い付けを請け負った商品の代金を当該サービスから振り込ませるための口座番号などを必要とする。そこで、会員登録とともに、口座番号などバイヤーとしての属性情報をあらかじめ登録させ、たとえば当該サービスの会員データベースに設定しておく。このように登録したバイヤーが、外出先で掘り出し物の商品を見付けたときに、当該サービスにおいて出品用ページにアクセスすると、バイヤーのための商品の登録フォームが、バイヤー端末に送信されて開かれる。この登録フォームにおいて、キー入力などされた所定事項に基づく登録情報が、設定様式で編成されて電気通信回線に送出される。これにより、当該サービスにおいて、バイヤーの認証、商品の出品登録、画像情報などのアップロード、買い付け委託および代金預託の各通知を含む所定の通信手順を遂行できる。商品データベース上に商品の登録情報（買付商品情報）が保存（登録）されると、代金預託手段によって、当該登録情報が各会員端末から検索かつ閲覧可能になるとともに、当該サービスが会員の買い付け委託を募っている。たとえば、会員が、特定の商品を選択して買い付け委託を指示すると、その商品の登録情報に基づいて代金の預託処理が実行される。この預託処理において手続きされた預託内容が当該会員と関連付けられる。代金振替手段により、会員の預託内容が要件通りに確認できると、当該サービスが買い付け委託の受け付けをバイヤーに保証し、かつ、会員から商品の受け取り確認が報告されると、商品の代金をバイヤーに支払っている。すなわち、預託内容がバイヤーの請負条件を満たせば、預託済みをバイヤーに報告し、また、会員による商品の受け取り確認が買い付け委託通りであれば、預託済みの代金をバイヤーに振り替える。前記一般的な会員情報として、メールアドレス、会員ＩＤ、納品先および与信情報などが挙げられ、また、バイヤーの属性情報として、バイヤー端末の識別番号、公開個人情報（顔写真を含む）、振込先情報および返品先情報が挙げられる。登録情報には、買い付け請負に関する請負情報、商品の画像情報、および、バイヤー端末のバイヤー情報などがある。請負情報としては、商品の検索キーワード、公開商品情報、買い付け先の在庫数、請負期限、請負単価、ならびに、前金、受け取り払いおよび後払いの区別などが挙げられ、また、バイヤー情報として、前記属性情報と関係付けられた会員情報など（たとえば、メールアドレス、会員ＩＤ）が挙げられる。バイヤー端末としては、バイヤーに携帯（携行）させ、かつ、商品を撮影できるカメラ付き携帯端末（たとえば、携帯電話機、ＰＤＡ（Portable Data Assistance）が挙げられる。
【００２５】
本発明の請求項２１に記載の委託買付方法は、請求項２０に記載の委託買付方法であって、
前記代金預託ステップは、
買付委託を受付けた商品の代金の少なくとも一部となる預託金額の与信を当該買付委託を実施した会員が所有しているかを金融機関に問い合わせるための処理を行う与信問い合わせ処理ステップと、
該与信問い合わせ処理ステップにおける与信問い合わせに基づいて金融機関から返信される与信確認情報に基づいて、預託の可否を判定する預託可否判定ステップと、
該預託可否判定ステップにおける預託可否の判定結果が預託可であることに基づいて、前記与信問い合わせ処理ステップにて問い合わせた預託金額の保全を要求するための使用予約を金融機関に送信する使用予約送信処理ステップと、
を含むことを特徴としている。
この特徴によれば、請求項２０に記載の発明と同様の効果を得ることができるのは勿論のこと、金融機関に与信を問い合わせて与信による預託の可否を判定することで、預託金額の決済が不能となるようなことを回避できるばかりか、使用予約を金融機関に送信することで、与信からの預託金額の保全が実施されるようになり、預託の実施以降に与信が使用されて預託金額の決済が不能となるようなことも回避できる。
【００２６】
本発明の請求項２２に記載の委託買付方法は、請求項２０に記載の委託買付方法であって、
前記代金預託ステップは、
買付委託を受付けた商品の代金の決済要求を金融機関に送信するための処理を行う決済要求送信処理ステップと、
該決済要求送信処理ステップにおける決済要求の受信に基づいて金融機関から返信される決済の可否の情報を含む決済情報に基づいて、預託の可否を判定する預託可否判定ステップと、
を含み、
前記預託金精算ステップは、所定期間内に前記受取確認電子メール受信ステップにて受取確認電子メールを受信していないことに基づいて、前記代金預託ステップにおいて当該会員により預託されていた預託金となる商品の代金を、当該買付委託を行った会員の口座に返却させるための処理を実施するキャンセル処理ステップを含むことを特徴としている。
この特徴によれば、請求項２０に記載の発明と同様の効果を得ることができるのは勿論のこと、預託において商品の代金の決済が実施されるので、ホステングサービスを運営する運営者の口座に早期に商品の代金を回収でき、よって、買付を実施したバイヤーとなった登録者への代金の支払いとの期間差を低減または皆無にでき、これらの負担を軽減できるばかりか、これら預託金となる商品の代金が決済できないことによる損失を大幅に低減できるとともに、金融機関とのやり取りを含む預託に関する処理の処理負荷を低減できる。
【００２７】
本発明の請求項２３に記載の委託買付方法は、請求項２１または２２に記載の委託買付方法であって、
前記預託可否判定ステップにおいて預託が不可と判定されたときに、当該預託が不可であることを、買付委託を行った会員に通知する通知ステップを含むことを特徴としている。
この特徴によれば、請求項２１または請求項２２に記載の発明と同様の効果を得ることができるのは勿論のこと、買付委託を行った会員は、預託が不可であったことを認識でき、これら預託が不可で商品の買付がなされなかったことに伴うトラブルの発生を未然に防止することができる。
【００２８】
本発明の請求項２４に記載の委託買付方法は、請求項２０に記載の委託買付方法であって、
前記代金預託ステップでは、買付委託を受付けた商品の代金の少なくとも一部を、ホスティングサービス名義の口座に振り込ませるための処理を行うことを特徴としている。
この特徴によれば、請求項２０に記載の発明と同様の効果を得ることができるのは勿論のこと、バイヤーの経済的なリスクを解消しつつ、小額決済において会員の便宜を図り得る。
【００２９】
本発明の請求項２５に記載の委託買付方法は、請求項２０乃至請求項２４のいずれかに記載の委託買付方法であって、
前記ホスティングサービスに会員登録している各会員から、購入委託を希望する商品に関する情報を受付ける購入委託希望商品受付けステップと、
購入委託希望商品受付けステップにて受付けた購入委託を希望する商品に関する情報を購入委託希望商品データベースに記憶する購入委託希望商品情報記憶ステップと、
該購入委託希望商品情報記憶ステップにて購入委託希望商品データベースに記憶された購入委託を希望する商品に関する情報を、バイヤーとして登録した登録者が携行するバイヤー端末に配信して当該商品の購入委託への応募を受付ける応募受付けステップと、
を含み、
前記買付委託受付ステップにおいては、該応募受付けステップにおける応募に基づいて、当該応募した登録者のバイヤー端末から送信される買付予定の商品に関する情報を、該応募された商品の購入委託を希望する会員に対して送信し、当該買付予定の商品の買付委託を受付けることを特徴としている。
この特徴によれば、請求項２０乃至請求項２４のいずれかに記載の発明と同様の効果を得ることができるのは勿論のこと、会員は自分が買付を希望する商品をリクエストすることができるとともに、バイヤーとなる登録者（会員）は、これら買付を希望する商品を検索、閲覧して、買付予定の商品に対して買付希望者がいるか否かを確認でき、買付予定の商品の情報が買付希望者に対して送信されるようになるので、迅速且つ効率良く買付を実施でき、会員の利便性を向上できる。
【００３０】
本発明の請求項２６に記載の委託買付方法は、請求項２０乃至請求項２５のいずれかに記載の委託買付方法であって、
商品登録ステップでは、移動体通信回線を含む電気通信回線を通じて前記買付商品情報を前記バイヤー端末から受信することを特徴としている。
この特徴によれば、請求項２０乃至請求項２５のいずれかに記載の発明と同様の効果を得ることができるのは勿論のこと、バイヤーに移動体通信を利用させるので、外出先などから商品の画像を含めて素早く登録させることができる。また、バイヤーが、ライフスタイルを変えずに行動しつつ、外出先であっても、その場で買い付けを請け負い得る。
【００３１】
本発明の請求項２７に記載の委託買付方法は、請求項２０乃至請求項２６のいずれかに記載の委託買付方法であって、
前記代金預託ステップでは、バイヤーとして登録した登録者が商品ごとに設定した請負期限内において預託を可能とさせていることを特徴としている。
この特徴によれば、請求項２０乃至請求項２６のいずれかに記載の発明と同様の効果を得ることができるのは勿論のこと、バイヤーに対して、経済的リスクを解消しつつ、短時間のうちに買い付け請負を完了させ得る。つまり、請負期限が例えば商品データベースに登録される。この請負期限により、たとえば、買い付け委託の受け付けを打ち切り、また、各会員による代金決済の不成立が判定できれば、バイヤーの経済的リスクを解消し得る。商品データベースでは、各会員による代金の預託が、この請負期限内に確認できれば、バイヤーおよび当該サービスの経済的リスクを解消し得る。
【００３２】
本発明の請求項２８に記載の委託買付方法は、請求項２０乃至請求項２７のいずれかに記載の委託買付方法であって、
バイヤーとして登録した登録者を、買い付け委託実績に関してランキングするランキングステップを含み、
前記代金預託ステップでは、該ランキングステップにてランキングされた当該バイヤーのランキング情報を、会員に対して提示するための処理を実施することを特徴としている。
この特徴によれば、請求項２０乃至請求項２７のいずれかに記載の発明と同様の効果を得ることができるのは勿論のこと、会員がバイヤーを選択し易くなり、バイヤーの買い付け請負を奨励できる。また、会員からの買い付け委託の件数または預託額を、バイヤーごとに統計処理して開示することにより、会員がバイヤーを選択するときの判断情報にでき、また、バイヤーが会員に実績を顕示できる。このようなランキング情報として、累積および所定期間内の合計件数または合計振替額、もしくは、いずれかについて全バイヤーの実績合計における占有率が挙げられる。
【００３３】
請求項２９に記載のプログラムは、請求項６乃至請求項１０および請求項２０乃至請求項２８のいずれかに記載の方法をコンピューターに実行させるためのプログラムであり、このプログラムによれば、請求項６乃至請求項１０および請求項２０乃至請求項２８のいずれかに記載の方法をコンピューターに実行させることができる。
【００３４】
請求項２２に記載の記録媒体は、請求項６乃至請求項１０および請求項２０乃至請求項２８のいずれかに記載の方法をコンピューターに実行させるためのプログラムが記録され
ていることを特徴としている。
この特徴によれば、請求項６乃至請求項１０および請求項２０乃至請求項２８のいずれかに記載の方法をコンピューターに実行させることができる。
【発明を実施するための最良の形態】
【００３５】
以下、本発明の実施の形態を図面を参照して説明する。
【実施例１】
【００３６】
図１は、本発明の実施の形態に係る委託買付システムの概略構成例を説明するための図である。図２は、同じく、バイヤー電話機の各部における機能を説明するための図である。
【００３７】
本システムは、ホスティングサービスの管理会社において運用され、商品１９のバイヤーとなる会員（以下、バイヤーという。）に、購入者となる会員（以下、購入者という。）が当該商品１９の委託買い付けを請け負わせるためのものであり、バイヤーが外出時などに携帯するカメラ付き携帯電話機（バイヤー端末）（以下、バイヤー電話機という。）１０と、このバイヤー電話機１０が接続するバイヤーの携帯電話網（移動体通信回線）（以下、バイヤー電話網という。）２０と、この電話網２０と接続しているインターネット（電気通信回線）３０と、このインターネット３０上に設置された商品データベース（データベース手段）４０、会員データベース５０および当該サービスの管理サーバ６０と、インターネット３０と接続する購入者の携帯電話網（購入者電話網）７０と、この電話網７０を通じて前記管理サーバ６０、商品データベース４０、会員データベース５０と接続可能な携帯電話機（会員端末）（以下、購入者電話機）８０とを有し、バイヤーが外出先で見付けた商品１９に関する画像情報１９ａを商品データベース４０に登録させている。
【００３８】
このような管理会社には、インターネット・サービス・プロバイダー、電話会社、金融機関、クレジット会社その他の会員制事業運営会社および宅配業者などが含まれる。バイヤー電話網２０および購入者電話網７０が同一のものであってもよく、また、各電話網２０，７０の通信方式には制約されない。したがって、管理サーバ６０などを、いずれかの携帯電話網２０，７０上に設置した構成にしてもよいが、以下、インターネット３０上に設置した場合を一例として説明する。このようなインターネット３０に代えて、たとえば、当該会社のエクストラネット、イントラネットその他の電気通信回線によってもよく、また、購入者電話網７０上の購入者電話機８０に代えて、インターネット３０上に、図示しないパーソナルコンピュータ（以下、パソコンという。）を設けて用いてもよい。
【００３９】
図２に示すバイヤー電話機１０は、ＣＣＤ（Charge Coupled Device）カメラを搭載させた携帯電話機であるが、各ＣＣＤカメラが着脱式のものその他の撮像送信可能な携帯端末であれば、いずれのものであってもよい。このバイヤー電話機１０は、ＣＣＤカメラを備えたカメラインタフェース機能（画像電子化手段）１１と、買い付け委託を請け負うための請負条件をバイヤーにキー入力させる入力インタフェース（条件電子化手段）１２と、バイヤー電話網を通じて前記管理サーバとメール交換することにより、各インタフェース機能の電子データを商品１９の登録フォームに設定して前記商品データベースに登録する商品登録機能（商品登録手段）１３と、同じくメール交換により、購入者の買い付け委託を受け付ける委託受付機能（委託受付手段）１４とを有している。
【００４０】
商品登録機能１３は、バイヤー情報および請負条件の設定メモリー、管理サーバ６０宛ての登録情報の電子メール送信機能、および、たとえばＪＰＥＧ形式の画像情報１９ａのメール添付機能を有している。委託受付機能１４は、バイヤー情報および請負条件の設定メモリー（商品登録機能の設定メモリーと共用させてもよい。）、管理サーバ６０からの買い付け委託のメール受信機能、買い付け委託のメール解読機能、請負条件の照合機能、振替手続きなどの確認機能を有している。簡易には、これら商品登録機能１３および委託受付機能１４を管理サーバ６０とＰＰＰ（Point to Point Protocol）接続させればよい。
【００４１】
登録情報には、購入者が所望の商品１９を買い付けできるように、商品１９に関する検索キーワード、購入者に閲覧させる公開商品情報、買い付け可能個数、請負期限、請負単価、ならびに、代金の預託、商品引き換え払いおよび後払いの決済区分などが含まれる。また、商品１９を配送機関により配達させるために、買い付け先の販売店情報などが含まれる。検索キーワードは、たとえば、購入者が識別し易いカテゴリー属性（雑貨、スニーカーなど）であり、公開商品情報には、商品１９の画像情報１９ａが含まれ、必要に応じて、商品１９のブランド、サイズ、色など詳細説明が含まれる。買い付け可能個数は、たとえば、買い付け先の在庫が7個であるときに、また、バイヤーの手持ち資金が７個分のとき７個である。
【００４２】
請負期限は、たとえば、今から３時間だけ買い付け先で待機するときに３時間以内である。したがって、請負期限を超えた買い付け委託を購入者が手続きできないが、バイヤーの任意案件としてバイヤーに参照させ、買い付け先に出向くコスト、請負総額、請負実績への寄与度などを比較考量させて特例的に承諾を判断させてもよい。請負単価には、管理会社の管理料を含めてある。決済区分は、原則として請負期限内の預託であるが、短期限の場合および高額商品について購入者の便宜を図るために、たとえば、宅配業者に徴収を代行させる商品引き換え払いと、銀行振り込みのための後払いがある。配送機関は、たとえば宅配業者であり、販売店情報は、店名、所在地、電話番号である。
【００４３】
商品データベース４０は、バイヤー電話機１０からの登録情報のメール解読機能、バイヤー情報と関連付ける所定様式の蓄積機能、商品１９の検索キーワードをキーとする請負条件、画像情報１９ａなどの検索機能、管理サーバ６０に登録情報を渡す機能を有している。会員データベース５０は、会員の個人情報およびバイヤーとしての属性情報を会員の識別符号と関連付ける会員情報の蓄積機能、管理サーバ６０を通じてバイヤー電話機１０、購入者電話機８０による会員情報の登録更新機能を有している。
【００４４】
会員情報には、購入者およびバイヤーのメールアドレス、会員ＩＤ（識別符号）、商品１９を受け取るための納品先、および、決済手続きのための与信情報などが含まれる。
【００４５】
属性情報には、バイヤー電話機１０の電話番号、公開個人情報（ハンドルネーム、必要に応じて顔写真を含む）、商品１９の代金を振り込むためのバイヤー口座情報（決済機関名、口座種類、口座番号、口座名）および返品先情報が含まれ、また、バイヤーに各情報を保証させるための現住所などが含まれる。会員ＩＤは、たとえば、便宜上都合がよい各携帯電話機の電話番号が用いられる。与信情報には、買い付け委託がキャンセルされたときに購入者に払戻金を振り込むための購入者口座情報が含まれる。
【００４６】
図３は、図１に示す管理サーバの各部を具体的に示すブロック図である。この管理サーバ６０は、バイヤー電話網２０を通じてバイヤー電話機１０と、また、購入者電話網７０を通じて購入者電話機８０と所定の通信方式により接続可能なものであり、バイヤー電話機１０などとメール交換可能なメーリング機能６１、当該サービスの電子マーケットサイトにおいてバイヤー電話機１０などからのアクセスを管理するＷｅｂ接続機能６２、同じくバイヤーに商品１９を登録させて各会員に商品１９の買い付け委託を手続きさせる手続処理機能（代金預託手段）６３、会員の商品受け取りを確認した後に会員の預託代金をバイヤーに振り替える代金振替機能（代金振替手段）６４、バイヤー、管理会社、会員の三者間および決済機関との相互間における取引段階をモニターする取引モニター機能６５を有している。
【００４７】
Ｗｅｂ接続機能６２は、バイヤーおよび購入者の会員情報の設定メモリー、所定のメーリングおよびファイルシステムのプロトコル交換機能、バイヤー電話機など１０，８０、各データベース４０，５０、手続き処理および代金振替機能６３，６４との通信機能を備えている。簡易には、ＰＰＰ接続とＦＴＰ（File Transfer Protocol）接続との交換処理を行わせればよい。このようなＷｅｂ接続機能６２を別途設ける代わりに、商品データベース４０、手続処理機能５０、代金振替機能６０、公開機能６５に内蔵させて各機能４０・・・６５をバイヤー電話機１０などと直接に通信させる構成としてもよく、その場合には、商品データベース４０のＷｅｂ接続機能６２により、バイヤー電話機１０の商品登録機能１３などを商品データベース４０内蔵の管理機能と接続させ、登録フォームから登録情報を解読させるなどすればよい。
【００４８】
手続処理機能６３は、当該サービスの委託手続き用ページ、商品データベース４０の登フォームおよび委託フォームの設定メモリー、管理口座の預託機能、預託内容の電子メール（以下、委託メールという。）送信機能、預託内容を会員情報と関連付けて受け取り待ち状態とする保存機能を有している。代金振替機能６４は、所定の起動条件によるイベントタイマー、バイヤーおよび購入者の会員情報および預託内容の設定メモリー、管理口座の口座情報などに基づく預託内容の審査機能、買い付けが委託された旨の電子メール（以下、指示メールという。）編成機能、当該商品１９の受け取りを確認した旨の電子メール（以下、受領メールという。）解読機能、管理費（たとえば３％）の徴集機能、バイヤーへの請負額の振替処理、代金を振り替えた旨の電子メール（以下、完了メールという。）編成機能、受け取り待ち状態の解除機能を有している。
【００４９】
取引モニター機能６５は、メーリング機能６１をモニターすることにより、各取引段階を追尾する状況確認機能、バイヤーの請負キャンセルに罰則を課すペナルティ機能、および各バイヤーの請負実績に順位付けを行うランキング機能を有している。状況確認機能は、商品登録、委託手続き、決済手続き、振替処理、委託および受領メールの受信、ならびに、指示および完了メールの送信などの各段階をバイヤー電話機１０などに公開している。また、ペナルティ機能は、バイヤーが買い付け請負をキャンセルすることにより、購入者への払い戻しが多発したときの罰則を扱っている。たとえば、非常に人気が高く瞬時に完売するおそれのある商品、および明らかに在庫がほとんどない商品にもかかわらず、大量の注文を受け付けたような場合である。これにより、バイヤーが店頭で商品の在庫数と売れ行きをよく観察し、前記請負期限後の残数に責任を持つように促すことができる。
【００５０】
ランキング機能は、全てのバイヤー宛ての全指示メールを解読して預託内容を集計し、所定期間の統計を採ることにより、当該バイヤーについて請負実績に関するランキング情報を提示する機能である。このランキング上の順位に応じて管理費の割引、現金またはポイントの支給など物的なインセンティブを代金振替機能６４に通知することにより、バイヤーに与えさせている。また、同じく優先表示、表彰など質的なインセンティブを手続処理機能６３に通知して与えさせている。これらの処理により、バイヤーの商品選択センスの良さと、信用度とを購入者が推定し易くなり、かつ、バイヤーどうしの競い合いを促して活発に取り引きさせ得るようになる。ランキング情報には、累積および所定期間内の合計件数または合計振替額、もしくは、いずれかについて全バイヤーの実績合計における占有率が挙げられる。
【００５１】
委託手続き用ページには、クレジットカード、ネットバンク、電子マネー、徴収代行サービスその他の決済手続きへのリンクが設けられ、また、預託内容には、商品１９の識別符号、預託額、前記各決済手続きをとる決済機関名、手続者名（必要に応じて識別番号などを含む。）およびその決済日が含まれる。たとえば、クレジットカード払いのリンク先において、クレジットカードの会員番号、会員名、有効期限を購入者電話機８０から入力させる。必要に応じてクレジット会社名を入力させ、また、あらかじめ支払口座などを登録させてある。このような委託手続き用ページに、前記請負実績のランキングを併せて表示させるようにしてもよい。管理会社の口座情報には、たとえば、口座残高、決済機関の決済通知または利用者通知などが含まれ、バイヤーに振り込む手続きには、振込内容をバイヤーに報告するための電子メールの送信処理が含まれる。
【００５２】
次に、本発明の実施の形態に係る買付代行方法の一例を説明する。先ず、バイヤー電話機におけるソフトウェアの工程例について、図４に示すフローチャートの一例、図１乃至３に示す各図を参照して説明する。
【００５３】
前準備として、会員がバイヤーとなるためのバイヤー情報を、あらかじめ会員データベース５０に属性情報として登録する。この属性情報を当該会員の会員情報と関連付けて会員データベース５０に保存させておく。また、バイヤーが商品を登録するための登録フォームを所定様式により作成して管理サーバ６０の手続処理機能６３に設定しておく（ステップＳＴ１１）。
【００５４】
バイヤーが、買い付け可能な商品を見付けてＣＣＤカメラにより撮影し、商品登録機能１３を起動すると、管理サーバ６０にアクセスが行われて登録フォームが受信される（ステップＳＴ１２）。これにより、条件電子化ステップにおいて、この登録フォームにバイヤーの請負条件が入力インタフェース１２からキー入力され、所定様式の電子メールに成される（ステップＳＴ１３）。また、画像電子化ステップにおいて、この電子メールに、カメラインタフェース１１から商品の撮影画像が画像情報として添付される（ステップＳＴ１４）。そして、商品登録ステップにおいて、この電子メールが登録メールとして管理サーバ６０に送信されるとともに（ステップＳＴ１５）、前記請負条件が委託受付機能１４に渡されて保存される（ステップＳＴ１６）。
【００５５】
図５に示す委託受け付けステップにおいて、バイヤー電話機１０により、バイヤー宛ての指示メールを受信すると、委託受付機能１４を起動し、該当する登録情報などが設定される（ステップＳＴ２１）。この指示メールにより、管理会社の保証内容が解読されて登録情報と照合される（ステップＳＴ２２）。この保証内容がバイヤーのキー操作などにより承諾されると（ステップＳＴ２３）、当該保証内容が保存されて振り込み待ち状態が設定される（ステップＳＴ２４）。管理サーバ６０から、振替メールが受信されると（ステップＳＴ２５）、この振替メールを解読して前記保証内容と照合する（ステップＳＴ２６）。これにより、振り込み待ち状態が解除される（ステップＳＴ２７）。
【００５６】
続いて、管理サーバのソフトウェアについて、図６に示すフローチャートの一例、図１乃至４に示す各図を参照しつつ説明する。まず、手続処理機能の一例を説明する。前準備として、会員が、あらかじめ会員データベース５０に所定の会員情報を登録する。また、会員が買い付け委託を手続きするための委託フォームを所定様式により作成して管理サーバ６０の手続処理機能６３に設定しておく。また、この手続処理機能６３にアクセスした会員について、その会員情報などを会員データベース５０から取得することにより、設定メモリーに設定しておく（ステップＳＴ３１）。
【００５７】
会員が、任意の商品の検索キーワードを設定すると、この検索キーワードに該当する商品群を商品データベース４０により検索し、各商品の登録情報が購入者電話機８０に送信され（ステップＳＴ３２）、さらに、各登録情報とリンクした画像情報１９ａが送信され（ステップＳＴ３３）、これらの情報を購入者電話機８０に表示させる。会員が所望する商品を特定すると、委託手続き用ページを開かせて（ステップＳＴ３４）。当該ページにおいて、商品の買い付け委託のための所定事項をキー入力させ、かつ、決済手続きのリンク先で代金の預託手続きをさせる（ステップＳＴ３５）。また、これら所定事項および預託内容を委託メールに編成させて手続処理機能６３に送信させる（ステップＳＴ３６）。委託メールが受信されると、その預託内容を解読することにより、会員情報と関連付けて設定メモリーに保存し、かつ、代金振替機能６４に渡す（ステップＳＴ３７）。
【００５８】
図７は、購入者電話機の表示画面において、商品の登録情報などの表示例を示す様式図である。この表示画面８１は、購入者に買い付け委託を促すキャプションとともに、商品ごとの表示枠９０内において、最上段に商品の特定、預託手続きの選択、画面操作などのためのコントロールバー９１を配置し、その下段左欄にバイヤーの顔写真９２ａ、請負実績９２ｂ、ランキング９２ｃなどの公開個人情報を、また、下段右欄に検索キーワード９３ａ、商品名９３ｂ、請負単価９３ｃ、請負期限９３ｄ、買い付け可能個数９３ｅ、および詳細説明９３ｆなどの公開商品情報と商品の画像情報９４を表示させている。
【００５９】
同じく、図８に示すフローチャートの一例、図１乃至６に示す各図を参照しつつ、代金振替機能について説明する。前準備として、会員データベース５０に所定のバイヤー情報を属性情報として設定し、指示メールなどの様式を代金振替機能６４に設定しておく。また、委託手続きがとられたバイヤーについて、その属性情報などを会員データベース５０から取得することにより、設定メモリーに設定しておく（ステップＳＴ４１）。
【００６０】
このようにして、代金振替機能６４のイベントタイマーが所定条件を満たしたときに、未処理の預託内容を検索して対応する登録情報と照合し（ステップＳＴ４２）、さらに、該当する口座情報とも照合する（ステップＳＴ４３）。また、これらの照合結果に基づく指示メールを編成してバイヤー宛てに送信し、前記預託内容を受け取り待ち状態に設定して設定メモリーに保存する（ステップＳＴ４４）。そして、購入者電話機８０から商品の受領メールを受信したときに（ステップＳＴ４５）、この受領メールを解読して登録情報と照合し、当該会員の預託内容について請負額をバイヤーの振替口座に振り込み（ステップＳＴ４６）、振替手続きの完了メールをバイヤー宛てに送信して受け取り待ち状態を解除する（ステップＳＴ４７）。イベントタイマーの所定条件には、定期的な所定期間の経過、新たな預託内容が生じたとき、図示しない付属端末から指示されたとき、および、二種以上の商品を同一の購入者が所定の合計額（たとえば、請負単価が２，０００円程度のときに合計額を１０，０００円とする。）を超えて購入したとき（パッケージング）などが含まれる。個人の購入者に特有の小額決済または小額商品に起因してバイヤーの利益率が低下し易いが、このような経済的リスクを回避できる。
【００６１】
図９は、本発明の実施の形態に係る他の委託買付システムの概略構成例を説明するための図である。このシステムは、前記バイヤー電話機１０およびバイヤー電話網２０に代えて、ＣＣＤカメラを備えたカメラ付きＰＤＡ（Portable Data Assistance）１０ａおよびインターネット３０を用い、たとえば、ＴＣＰ／ＩＰ接続によりインターネット３０を通じて管理サーバ６０などと接続可能な構成にしたものである。このカメラ付きＰＤＡは、前記バイヤー電話機と同じくカメラインタフェース、入力インタフェース、商品登録機能および委託受付機能を有している。ただし、これら二つの機能が、バイヤー電話網２０の交換機能によらず、直接に管理サーバ６０のＷｅｂ接続機能およびメーリング機能と交信している。
【実施例２】
【００６２】
図1は、本発明を適用した本実施例２の委託買付システムの構成を示す図である。
【００６３】
本実施例の委託買付システムは、ホスティングサービスの管理会社において運用され、商品１９のバイヤーとなる会員（以下、バイヤーという。）に、購入希望者となる会員（以下、購入者という。）が当該商品１９の委託買付を請け負わせるためのものである。例えば、ホスティングサービスの管理会社（サイト運営会社）には、インターネット・サービス・プロバイダー、電話会社、金融機関、クレジット会社その他の会員制事業運営会社及び宅配業者などが含まれる。
【００６４】
委託買付システムは、図１に示すように、バイヤーが外出時などに携帯するカメラ付き携帯電話機（バイヤー端末）（以下、バイヤー電話機という。）１０と、このバイヤー電話機１０が接続するバイヤーの携帯電話網（移動体通信回線）（以下、バイヤー電話網という。）２０と、このバイヤー電話網２０と接続しているインターネット（電気通信回線）３０と、このインターネット３０上に設置された商品データベース４０、会員データベース５０及び当該委託買付システムの管理サーバ６０（サーバコンピュータ）と、インターネット３０と接続する購入者の携帯電話網（購入者電話網）７０と、この購入者電話網７０を介して管理サーバ６０、商品データベース４０、会員データベース５０と接続可能な携帯電話機（会員端末）（以下、購入者電話機）８０とを有しており、バイヤーが外出先で見付けた商品１９に関する画像情報１９ａを、バイヤー電話機１０から管理サーバ６０にアクセスすることにより、管理サーバ６０を介して商品データベース４０に登録できるようになっている。
【００６５】
図２は、本発明を適用した本実施例のバイヤー電話機１０の機能を示す図である。本実施例のバイヤー電話機１０は、ＣＣＤ（Charge Coupled Device）カメラを搭載し、該ＣＣＤカメラで撮像した画像や、ダイアルキー等の入力インタフェースで入力した文字情報を送受信するためのインターネット機能を有した通常の携帯電話機となっている。尚、ＣＣＤカメラは着脱式であってもよく、また、撮像手段、文字情報の入力手段、電子化された情報の送受信手段を備えた携帯端末であればいずれのものであってもよい。
【００６６】
バイヤー電話機１０は、図２に示すように、ＣＣＤカメラ（撮像手段）を備えたカメラインタフェース（画像電子化手段）１１と、商品１９の情報及び該商品１９の委託買付の請負条件（請負情報）をバイヤーが入力するためのボタン（入力手段）を備えた入力インタフェース（条件電子化手段）１２と、バイヤー電話網２０を通じて前記管理サーバ６０とメール交換することにより、カメラインタフェース１１及び入力インタフェース１２を介して入力されて電子化された請負条件と、当該請負条件を入力したバイヤーを識別可能な情報（バイヤー情報）とからなる商品情報（買付商品情報）を管理サーバ６０の登録フォームに設定し、該商品情報を管理サーバ６０にて前記商品データベース４０に登録させる商品登録機能（商品登録手段）１３と、同じくメール交換により、購入者から委託買付が依頼された旨を示す後述の「指示メール」（買付保証電子メール）を受け付ける委託受付機能（メール受信手段）１４とを有している。
【００６７】
バイヤー電話機１０の商品登録機能１３は、バイヤーの会員情報や、商品情報を記憶するための設定メモリー、請負条件を含む商品情報を管理サーバ６０に登録させるための「商品登録メール」の送信機能、及び、例えばＪＰＥＧ形式の画像情報１９ａのメール添付機能を備えている。
【００６８】
バイヤー電話機１０の委託受付機能１４は、バイヤーの会員情報や、商品情報等を記憶するための設定メモリー（商品登録機能１３の設定メモリーと共用させてもよい。）、管理サーバ６０からの委託買付を指示する旨と、委託買付に係る代金の保証内容を示す「指示メール」の受信機能、「指示メール」の解読機能、委託買付の請負条件と代金の保証内容の照合機能等を有している。
【００６９】
商品データベース４０は、バイヤー電話機１０から送信され、管理サーバ６０を介して受け付けた商品情報を登録するための「商品登録メール」の解読機能、解読した商品情報をバイヤーの会員情報と関連付けて記憶する蓄積機能、商品１９の検索キーワードをキーとして請負条件や画像情報１９ａを含む商品情報を検索する検索機能、管理サーバ６０に対し商品情報を送受信する機能を有している。
【００７０】
商品データベース４０に記憶される商品情報は、上述のように、バイヤー電話機１０において入力され、商品データベース４０に登録される。この商品情報について詳しく説明すると、図１０に示すように、商品情報は、購入者が所望の商品１９を買い付けできるように、商品１９に関する検索キーワード、購入者に閲覧させる公開商品情報、買付可能個数、請負期限、請負単価、ならびに、前払い（クレジットカード、ポイント購入等による代金の預託）、商品引換払い、後払い（銀行振込）のいずれかに設定された決済区分などが商品ＩＤに対応づけられている。また、図示しないが商品１９を配送機関により配達させるための買付先の販売店情報等を含んでもよい。
【００７１】
商品データベース４０に記憶される商品情報の検索キーワード（図１０参照）は、例えば、購入者が識別し易いカテゴリー属性（雑貨、スニーカーなど）である。公開商品情報（図１０参照）は、商品１９の画像情報１９ａを含み、必要に応じて、商品１９のブランド、サイズ、色など詳細説明としてのコメントを含む。買付可能個数（図１０参照）は、例えば、買付先の在庫が7個であるときや、バイヤーの手持ち資金が７個分のとき７個である。請負期限（図１０参照）は、例えば、今から３時間だけ買付先で待機するときに３時間以内である。請負単価（図１０参照）は、管理会社の管理料を含む。決済区分（図１０参照）は、原則として請負期限内の預託であるが、請負期限が短い場合、及び高額商品について購入者の便宜を図るために、例えば、配送機関に徴収を代行させる代金引換払いと、銀行振込による後払いがある。配送機関は、例えば、宅配業者である。販売店情報（図示略）は、店名、所在地、電話番号である。
【００７２】
会員データベース５０は、購入者の会員情報及びバイヤーの会員情報を会員の識別符号（会員ＩＤ）と関連付けて蓄積する蓄積機能と、バイヤー電話機１０や購入者電話機８０から管理サーバ６０を介して会員情報の登録や更新をさせる登録更新機能を有している。
【００７３】
会員データベース５０に記憶される会員情報は、図１１に示すように、当該会員が購入者か、バイヤーか、あるいは両方かのいずれかを示す会員区分と、会員のメールアドレスと、商品１９の受け取りや返品に利用される会員の住所と、会員の口座情報と、特にバイヤー会員にあっては緊急時に連絡をとるための電話番号などが会員ＩＤに対応づけられている。尚、会員情報に、図示しないバイヤーの公開個人情報（ハンドルネーム、顔写真など）を含んでもよい。また、会員ＩＤは、会員を一意に識別できる情報であれば良く、例えば、便宜上都合がよいバイヤー電話機１０や購入者電話機８０の電話番号が用いられる。
【００７４】
会員データベース５０に記憶される会員情報の口座情報は、バイヤーが委託買付を遂行した結果、購入者から商品を受領した旨を示す「受領メール」が届いて、委託買付システムの運営者がバイヤーに代金を振り込むときや、購入者あるいはバイヤーが委託買付をキャンセルしたときに購入者に払戻金を振り込むとき等に用いられる。
【００７５】
図３は、本発明を適用した本実施例の管理サーバ６０の機能を示す図である。本実施例の管理サーバ６０は、バイヤー電話網２０を介したバイヤー電話機１０とのデータの送受信、また、購入者電話網７０を介した購入者電話機８０とのデータの送受信が、各々所定の通信方式により可能な通常のサーバコンピュータとなっている。
【００７６】
管理サーバ６０は、図３に示すように、バイヤー電話機１０や購入者電話機８０等とメール交換可能なメーリング機能６１、バイヤー電話機１０や購入者電話機８０等のブラウザからの接続を受け付けてデータの送受信を行うＷｅｂ接続機能６２、メーリング機能６１やＷｅｂ接続機能６２を介して、バイヤー電話機１０から商品１９の商品情報（図１０参照）を受け付ける手続きや、購入者電話機８０から商品１９の委託買付の依頼を受け付ける処理等を処理する手続処理機能（買付委託受付手段）６３、受け付けた商品１９の買付委託内容に応じて、購入者に商品１９の代金を管理会社に預託させるための処理を行い、代金の預託済み確認に基づいてバイヤーに委託買付を指示し、購入者の商品受け取りを確認した後に、購入者が管理会社に預託した代金をバイヤーの口座に振り込む代金振替機能（代金預託手段、買付保証電子メール送信手段、受取確認電子メール受信手段、預託金精算手段）６４、バイヤー、管理会社、購入者の三者間及び決済機関との相互間における取引段階をモニターする取引モニター機能６５を有している。
【００７７】
管理サーバ６０のＷｅｂ接続機能６２は、バイヤー及び購入者の会員情報を記憶するための設定メモリー、バイヤー電話機１０や購入者電話機８０のブラウザからの接続を受け付けてデータの送受信を行う機能や、該送受信されるデータを商品データベース４０、会員データベース５０、手続処理機能６３、代金振替機能６４と送受信するための通信機能を備えている。
【００７８】
尚、Ｗｅｂ接続機能６２と同等の機能を、商品データベース４０、会員データベース５０、手続処理機能６３、代金振替機能６４の各々に設けて、これら機能がバイヤー電話機１０や購入者電話機８０と直接通信を行う構成としてもよい。
【００７９】
管理サーバ６０の手続処理機能６３は、バイヤーが商品情報（図１０参照）を登録するための登録フォームや、購入者が商品１９の委託買付を依頼する旨と、代金の預託に関する情報を示す預託内容とからなる委託情報を入力するための委託手続フォームや、委託手続フォームを介して受け付けた委託情報等を記憶するための設定メモリー、委託手続フォームにおいて入力された委託情報を含む「委託メール」の受信機能、「委託メール」にて受け付けた委託情報を会員情報と関連付けて保存する保存機能を有している。
【００８０】
管理サーバ６０の手続処理機能６３における委託情報は、図１２に示すように、購入者に委託買付を依頼された商品１９の商品ＩＤと、該購入者の会員ＩＤと、該委託買付が、購入者から管理会社の口座への代金の振込待ちであるか、バイヤーから購入者に送付された商品１９の受取待ちであるかを示す状態と、代金の預託に関する情報を示す預託内容とから構成される。
【００８１】
管理サーバ６０の手続処理機能６３における委託情報を構成する預託内容は、商品１９の委託買付の依頼に際して預託する代金としての預託額と、購入者が管理会社の口座に代金を預託する際に利用する決済機関名（例えば、クレジットカード会社）と、代金の預託に際して決済機関名に渡す情報としての手続き者名（例えば、クレジットカード番号）と、決済機関を介して管理会社の口座に代金が振り込まれた決済日とから構成される。
【００８２】
尚、本実施例において、購入者は、管理会社の口座に代金を預託する方法として、クレジットカード会社を介して振り込む方法、直接管理会社の口座に代金を振り込む方法、配送機関が提供する代金引換配達サービスを介して振り込む方法のいずれかを選択できるようになっており、管理サーバ６０は、いずれの方法が選択されたかに応じて、購入者に代金を預託させる処理を行うようになっている。
【００８３】
管理サーバ６０の代金振替機能６４は、所定条件に基づいて起動されるイベントタイマー、バイヤー及び購入者の会員情報（図１０参照）及び預託内容を含む委託情報（図１２参照）の設定メモリー、購入者が入力した預託内容に基づいて預託させる処理を行う機能、管理会社の口座への振込状況などに基づく預託内容の審査機能、購入者による委託買付の依頼に基づき、委託買付を指示する旨を示す「指示メール」の編成機能、当該商品１９の受け取りを確認した旨を示す「受領メール」の解読機能、管理費（つまり手数料であり例えば３％）の徴集機能、商品１９の委託買付の代金をバイヤーの口座に振り込む振込機能、代金を振り込んで委託買付が終了した旨を示す「完了メール」の編成機能、委託情報の受取待ち状態の設定及び解除機能を有している。
【００８４】
尚、管理サーバ６０の代金振替機能６４におけるイベントタイマーの所定条件には、定期的な所定期間が経過したとき、新たな預託内容が生じたとき、図示しない付属端末から指示されたとき、及び、二種以上の商品を同一の購入者が所定の合計額（例えば、請負単価が２，０００円程度のときに合計額を１０，０００円とする。）を超えて購入したとき（パッケージング）などが含まれる。個人の購入者に特有の小額決済または小額商品に起因してバイヤーの利益率が低下し易いが、このような経済的リスクを回避できる。
【００８５】
管理サーバ６０の取引モニター機能６５は、メーリング機能６１をモニターすることにより、各取引段階を追尾する状況確認機能、バイヤーの委託買付の請負キャンセルに罰則を課すペナルティ機能、及び各バイヤーの請負実績に順位付けを行うランキング機能を有している。状況確認機能は、商品登録、委託手続、決済手続、振込、委託及び受領メールの受信、ならびに、指示及び完了メールの送信などの各段階をバイヤー電話機１０などに公開している。また、ペナルティ機能は、バイヤーが委託買付の請負をキャンセルすることにより、購入者への払い戻しが多発したときの罰則を扱っている。例えば、非常に人気が高く瞬時に完売するおそれのある商品、及び明らかに在庫がほとんどない商品にもかかわらず、大量の注文を受け付けたような場合である。これにより、バイヤーが店頭で商品の在庫数と売れ行きをよく観察し、請負期限後の残数に責任を持つように促すことができる。
【００８６】
管理サーバ６０の取引モニター機能６５のランキング機能は、管理サーバ６０から送信された全指示メールを解読して預託内容を含む委託情報（図１２参照）を集計し、所定期間の統計を採ることにより、当該バイヤーについて委託買付の請負実績に関するランキング情報を提示する機能である。このランキング上の順位に応じて管理費の割引、現金またはポイントの支給などを代金振替機能６４に通知することにより、物的なインセンティブをバイヤーに与えられるようになっている。また、優先表示、表彰などを手続処理機能６３に通知することにより、バイヤーに質的なインセンティブも与えられるようになっている。このようにランキング機能に基づく物的なあるいは質的なインセンティブの提供により、バイヤーの商品選択センスの良さと、信用度とを購入者が推定し易くなり、かつ、バイヤーどうしの競い合いを促して活発に取り引きさせられるようになる。
【００８７】
具体的なランキング情報としては、例えば、累積及び所定期間内の合計件数または合計振替額、もしくは、いずれかについて全バイヤーの実績合計における占有率が挙げられる。また、具体的なランキング情報の利用方法としては、購入者が委託買付を所望する商品１９と代金の預託内容を入力するための委託フォームに、ランキング機能により出力されるランキングを併せて表示させることが挙げられる。
【００８８】
次に、実施例２における委託買付方法を、図１３に示すフローチャートに基づいて説明していく。
【００８９】
まず、購入者は、予め会員となるための情報を購入者電話機８０から会員データベース５０（図１１参照）に登録する（ステップＳ１：購入者電話機８０から管理サーバ６０）。また、バイヤーとなる会員は、会員がバイヤーとなるための情報を、予めバイヤー電話機１０から会員データベース５０（図１１参照）に登録する。具体的には会員情報の会員区分にバイヤーである旨を登録する（ステップＳ１：バイヤー電話機１０から管理サーバ６０）。
【００９０】
このように、購入者及びバイヤーが会員情報を登録すると、バイヤー電話機１０の商品登録機能１３を利用して、バイヤーが委託買付を請負可能な商品情報を商品データベース４０（図１０参照）に登録できるようになる。以下、バイヤーによる商品１９の委託買付の請負条件を含む商品情報の登録に係る処理について説明していく。
【００９１】
バイヤーが、バイヤー電話機１０を用いて買付可能な商品を見付けてＣＣＤカメラにより撮影し、商品登録機能１３を起動すると、管理サーバ６０にアクセスが行われて登録フォームが送信される（ステップＳ２）。
【００９２】
次いで、バイヤー電話機１０の条件電子化ステップにおいて、この登録フォームにバイヤーの請負条件が入力インタフェース１２からキー入力され、所定様式の電子メールに編成される（ステップＳ３）。尚、この請負条件としては、買付可能な商品の購入地や個数や請負期間等の買付に関する内容を含む。また、画像電子化ステップにおいて、この電子メールに、カメラインタフェース１１から商品の撮影画像が画像情報に添付される（ステップＳ４）。そして、商品登録ステップにおいて、この電子メールが「商品登録メール」として管理サーバ６０に送信されるとともに（ステップＳ５）、入力された請負条件が委託受付機能１４に渡されて保存される（ステップＳ１２）。
【００９３】
次いで、管理サーバ６０では、ステップＳ５においてバイヤー電話機１０から送信された「商品登録メール」を受け付けて、該「商品登録メール」の内容に基づいて商品データベース４０（図１０参照）に商品情報を登録する（ステップＳ６、商品登録ステップ）。
【００９４】
このように、バイヤーが委託買付を請負可能な商品情報を商品データベース４０（図１０参照）に登録すると、管理サーバ６０の手続処理機能６３を利用して、購入者は委託買付を依頼できるようになる。以下、購入者による商品１９の委託買付の依頼に係る処理について説明していく。
【００９５】
まず、管理サーバ６０は、購入者の操作により購入者電話機８０から送信された検索キーワードに基づく商品検索要求を受信し、この検索キーワードに該当する商品群を商品データベース４０（図１０参照）から検索する（ステップＳ７）。そして、検索された各商品１９の商品情報と画像情報１９ａとからなる検索結果が送信され（ステップＳ８）、これらの情報が購入者電話機８０に表示される（図７参照）。購入者が所望する商品１９を選択すると、購入者電話機８０から選択された商品１９を特定可能な情報を受け付けて（ステップＳ９）、該選択された商品１９の商品情報（図１０参照）に基づいて、請負単価や請負期限が設定された委託手続フォームを送信する（ステップＳ１０）。
【００９６】
尚、本実施例では、前記検索結果に、各商品のバイヤーに関する情報、例えばバイヤーの評価（買付依頼者からの商品発送の有無による評価や、買付商品の取り扱い状況による評価や、買付商品のセンスによるセンス評価等）や実績、ニックネーム（バイヤーネーム）、主な活動地域、年齢、写真、活動情報（活発にバイヤー活動をしているか、休眠状態のバイヤーであるか等）を含むバイヤーページにリンク付けされたリンク選択入力部を含んでおり、購入者は、これら各商品に対応する該リンク選択入力部を選択することで、リンク付けされているバイヤーページが購入者電話機８０に配信されることで、購入者は、買付委託をする前にバイヤーがどのような人であるかや、その時点の活動状況等を確認して、買付委託の実施するか否かの判断を実施できるようになっている。また、これらバイヤーページにおける評価や実績は必須の表示内容とされているが、ニックネーム（バイヤーネーム）、主な活動地域、年齢、写真は必ず公開しなくても良く、これらの公開・非公開はバイヤー自身が設定できるようになっている。
【００９７】
次いで、購入者が、購入者電話機８０を操作して、この委託手続フォームに対して商品１９の委託買付を依頼する旨と、管理サーバ６０に商品１９の請負単価を預託させるための処理に用いる預託内容とを含む委託情報（図１２参照）を入力するとともに、該委託情報を含む「委託メール」を管理サーバ６０に送信する。そして、管理サーバ６０が、「委託メール」を手続処理機能６３にて受け付けて、委託メールの預託内容を含む委託情報を解読することにより、会員情報（図１１参照）と関連付けて設定メモリーに保存し、かつ、代金振替機能６４に渡す（ステップＳ１１、買付委託受付ステップ）。
【００９８】
具体的に、これら委託手続フォームにおいて、例えば、決済区分としてクレジットカードによる前払い（預託）が設定されている商品に関して、委託手続を実施する場合について、図１４を用いて、これら預託が実施される流れについて説明すると、委託手続フォームには、これら商品価格（代金）の決済を実施するためのクレジットカード番号（以下、カード番号と略記する）のカード番号入力部が設けられており、該カード番号入力部に入力されたカード番号に基づいて、管理サーバ６０は、購入者のクレジットカード番号を特定する。尚、本実施例２では、委託手続フォームにおいて購入者からその都度クレジットカード番号を受付けるようにしているが、本発明はこれに限定されるものではなく、これらクレジットカード番号を購入者となる会員から予め受け付けておいて、前記会員データベース５０に会員の口座情報とともに会員ＩＤに対応付けて記憶しておき、購入者が当該サイトにログインした際の会員ＩＤから、当該会員のクレジットカード番号を自動的に特定するようにして、会員の利便性を向上するようにしても良い。
【００９９】
そして管理サーバ６０は、該特定したクレジットカード番号に対応するクレジットカード会社の管理コンピュータに、カード番号と、商品価格とを含む与信問い合わせを送信する。
【０１００】
この与信問い合わせの受信に基づいてクレジットカード会社の管理コンピュータは、カード番号に対応するショッピング枠の金額が、商品価格以上であるかを確認し、その確認結果を含む与信確認情報を管理サーバ６０に返信する。
【０１０１】
この返信に基づいて管理サーバ６０は、受信した与信確認情報に含まれる確認結果が、ショッピング枠の金額が不足しているとの確認結果である場合には、金額不足にて与信が得られないことにより預託不能と判定する一方、受信した与信確認情報に含まれる確認結果が、ショッピング枠の金額が十分であるとの確認結果である場合には預託可能と判定し、当該商品価格のショッピング枠の使用予約をクレジットカード会社の管理コンピュータに対して送信する。
【０１０２】
尚、管理サーバ６０は預託不能と判定した場合には、預託手続きの処理を中止し、当該商品の購入者に対して、予約不能である旨を、預託不能メールや預託不能メッセージ画面等により通知する。
【０１０３】
前記使用予約の受信に基づいてクレジットカード会社の管理コンピュータは、カード番号に対応するショッピング枠の金額から商品価格（代金）を減算更新し、該商品価格のショッピング枠を保全（確保）するとともに、保全完了を管理サーバ６０に返信する。
【０１０４】
そして、この保全完了の受信に基づいて管理サーバ６０は、預託手続きが完了したものとして、後述する委託処理にて当該商品のバイヤーに指示メールが送信される。
【０１０５】
このように預託手続きが完了して、購入者がバイヤーに委託買付を依頼する旨と、預託内容とを示す委託情報（図１２参照）が管理サーバ６０に保存されると、管理サーバ６０の代金振替機能６４により、委託情報が処理されるようになる。以下、バイヤーが商品１９を購入するまでを説明していく。
【０１０６】
管理サーバ６０の代金振替機能６４は、イベントタイマーが所定条件を満たしたときに、未処理の委託情報（図１２参照）を抽出し（ステップＳ１３）、対応する商品情報（図１０参照）と照合し、さらに、該当する会員情報（図１１参照）の口座情報とも照合する（ステップＳ１４）。そして、商品１９の請負単価や、決済区分や、預託内容等が照合した場合には、委託情報に含まれる預託内容に基づいて、購入者に預託額を預託させる処理を行う（ステップＳ１５、代金預託ステップ）。その後、購入者から商品１９の代金を預託済みか否かを判定し、預託済みと確認した場合には、管理会社が商品１９の支払いを保証する旨の保証内容を含む「指示メール」を編成してバイヤー電話機１０宛てに送信し（ステップＳ１６、買付保証電子メール送信ステップ）、委託情報を受取待ち状態に設定して設定メモリーに保存する（ステップＳ１７）。
【０１０７】
バイヤー電話機１０の委託受付機能１４は、バイヤー宛ての「指示メール」を受け付けて（ステップＳ１８）、この「指示メール」に基づいて管理会社が商品１９の代金の支払いを保証する旨の保証内容が解読して、ステップＳ１２において保存された商品情報（図１０参照）の請負条件と照合する。そして、照合結果が表示されバイヤーにより確認される。バイヤーが、管理会社の保証内容をキー操作などに基づいてバイヤーにより承諾すると（ステップＳ１９）、当該保証内容は保存されて振込待ち状態に設定される（ステップＳ２０）。
【０１０８】
このように、バイヤーが委託買付が依頼された旨を示す「指示メール」を管理サーバ６０から受け付けて、管理会社の保証内容を承諾すると、バイヤーは商品１９を買い付けて購入者に送付する。そして、商品１９を受け取った購入者は、受け取った旨を示す「受領メール」を管理サーバ６０に送信し、管理サーバ６０の代金振替機能６４により、バイヤーに代金が振り込まれる。以下、バイヤーが代金を得るまでを説明していく。
【０１０９】
管理サーバ６０の代金振替機能６４が、購入者電話機８０から商品の「受領メール」を受け付けると（ステップＳ２１、受取確認電子メール受信ステップ）、該「受領メール」を解読して商品情報（図１０参照）及び委託情報（図１２参照）を照合し（ステップＳ２２）、当該会員の預託内容に基づいて請負単価をバイヤーの口座に振り込み（ステップＳ２３、預託金精算ステップ）、振込手続きの「完了メール」をバイヤー電話機１０宛てに送信する。そして、委託情報（図１２参照）の受取待ち状態を解除し（ステップＳ２４）、管理サーバ６０の代金振替機能６４は処理を終了する。
【０１１０】
バイヤー電話機１０の委託受付機能１４は、管理サーバ６０から、「完了メール」を受け付けると（ステップＳ２５）、この完了メールを解読してステップＳ１９において保存した管理会社の保証内容と照合し（ステップＳ２６）、照合結果に基づいて振込待ち状態が解除される（ステップＳ２７）。
【０１１１】
図７は、購入者電話機８０の表示画面８１における商品情報（図１０参照）などの表示例を示す様式図である。
【０１１２】
この表示画面８１は、購入者に委託買付を促すキャプションとともに、商品ごとの表示枠９０内において、最上段に商品の特定、預託内容の選択、画面操作などのためのコントロールバー９１を配置し、その下段左欄にバイヤーの顔写真９２ａ、請負実績９２ｂ、ランキング９２ｃなどの公開個人情報を、また、下段右欄に検索キーワード９３ａ、商品名９３ｂ、請負単価９３ｃ、請負期限９３ｄ、買付可能個数９３ｅ、及び詳細説明９３ｆなどの公開商品情報と商品の画像情報９４を表示させている。
【０１１３】
また、これらバイヤーに代金が振り込まれる処理（精算手続き処理）において、管理サーバ６０とクレジット会社の管理コンピュータとの間における処理に関して、図１４に基づいて説明すると、管理サーバ６０は前述のように、購入者からの受領メールの受信に応じて受領メールを解読し、受領内容を照合する。そして、受領内容に対応する商品の商品価格から所定の手数料（本実施例では３％）を差し引いた金額を、会員データベース５０から特定される当該バイヤーの口座に振り込む。
【０１１４】
そして、当該受領内容の商品の預託に対して前記の預託手続き処理において使用予約することでクレジット会社に保全された金額を支払い請求、具体的にはカード番号と商品価格（代金）を含む支払い請求を、当該クレジット会社に送信することにより、クレジット会社の管理コンピュータは、該支払い要求の受信に応じて受信したカード番号のクレジットカードにおいて保全したショッピング枠の金額をサイト運営会社の口座に振り込むことで、前記バイヤーの口座に振り込んだ金額が補填されるとともに、手数料がサイト運営会社の利益となる。
【０１１５】
また、本実施例２では、バイヤーとなる会員が、購入可能な商品の情報を管理サーバ６０に登録するのみではなく、購入者となる会員が、購入委託を希望する商品をリクエストすることもできる機能を備えており、この購入委託リクエストの機能に関して、図１５に基づいて説明する。
【０１１６】
まず、購入者が購入委託を希望する商品をリクエストしたい場合には、管理サーバ６０において図示しない購入委託リクエストの項目メニューを選択して、管理サーバ６０より購入リクエストフォームを入手する。
【０１１７】
そして、該入手した購入リクエストフォームに購入をリクエストする商品に関する情報、具体的には、商品名や、メーカー、型番、商品説明、写真や数量、希望購入価格等を入力して、該入力した購入リクエストフォームを管理サーバ６０に送信する。尚、この際、管理サーバ６０において各会員毎に、過去の買付委託の履歴を所定期間において記憶しておき、これら購入リクエストフォームにおいて、過去に買付委託を実施したバイヤーのリストを表示させて、これら過去に買付委託を実施したバイヤーから、購入のリクエストを希望するバイヤーを指定できるようにしても良い。
【０１１８】
管理サーバ６０は、受信した購入リクエストフォームに基づいて、当該購入リクエストフォームに含まれる購入をリクエストする商品に関する各情報を、図示しない購入委託リクエスト商品ＤＢに登録するとともに、これら登録された購入をリクエストする商品に関する各情報を会員に公開する。
【０１１９】
会員は、自分がバイヤーとなる場合に、購入しようとしている商品を登録する前に、その商品の購入をリクエストしている会員がいるか否かを、これら購入委託リクエスト商品ＤＢに登録されている商品を検索、閲覧することで、確認することができ、これら購入委託リクエスト商品ＤＢに登録されている商品に購入しようとしている商品が存在する場合には、その商品の委託に応募する。
【０１２０】
この応募操作（具体的には、ブラウザの応募ボタンの選択入力操作）に基づいてバイヤー電話機１０から送信される応募要求の受信に応じて管理サーバ６０は、前記バイヤー電話機１０からの商品の登録と同様の商品登録フォームをバイヤー電話機１０に送信することで、バイヤー電話機１０において前述と同様に、商品画像等の各種情報が電子化されて入力された商品登録フォームが管理サーバ６０に対して送信される。
【０１２１】
この応募要求に対応する商品登録フォームの受信に基づいて管理サーバ６０は、受信した商品登録フォームに基づく商品情報（電子メール）を応募要求のあった商品の購入委託リクエスト者（購入者）の購入者電話機８０に対して送信する。
【０１２２】
この商品情報（電子メール）を受信した購入委託リクエスト者（購入者）は、受信した受信した商品情報で購入委託をしたいときには、当該商品情報（電子メール）の購入委託メールを返信するか、或いは、当該商品情報（電子メール）の商品のページにアクセスして、該商品ページに設けられている図示しない「購入委託」の選択入力部を選択入力することで、前述した通常の委託購入の場合と同様に、預託手続きの処理等の各種処理が実施されて、当該商品の委託購入がバイヤーにおいて実施され、その商品が購入委託リクエスト者（購入者）に届くようになる。
【０１２３】
以上、本発明の実施例２を図面により説明してきたが、具体的な構成はこれら実施例に限られるものではなく、本発明の要旨を逸脱しない範囲における変更や追加があっても本発明に含まれる。
【０１２４】
例えば、前記実施例では、図１４に示すように、預託手続き処理においてクレジット会社に与信の問い合わせを実施して、与信を確認した後に、使用予約を送信してショッピング枠（利用枠）の保全を得るようにしているが、本発明はこれに限定されるものではなく、これら管理サーバ６０とクレジット会社の管理コンピュータとの間の通信頻度をより少なくするとともに、サイト運営会社の口座への入金を迅速に実施させるとで、バイヤーへの支払いとの時間差を低減或いは皆無とすること等を目的として、図１６に示すように、預託手続きにおいて、商品価格（代金）の決済要求をクレジット会社に送信して、クレジット会社との決済を実施し、決済が可能であれば預託完了としてバイヤーに指示メールを送信するようにするとともに、これら決済を実施した商品が、予め定められた期間内に購入者に届いて、当該購入者から受領メールの受信が無かった場合には、決済した商品価格（代金）の口座からの引き落としが実施されないようにするために、カード番号と商品価格（代金）とを含むキャンセル情報をクレジットカード会社に送信するキャンセル処理を実施するようにしても良い。尚、状況的には、口座からの引き落としが実施される時期が月単位で１ヶ月後や２ヶ月後となることから生じ難いが、何らかの理由で決済した商品価格（代金）が既に当該購入者の口座から引き落としされていた場合には、前記キャンセル情報の受信に基づいて、クレジットカード会社から購入者の口座に対して商品価格（代金）を振り込む処理が実施されるようにしても良い。
【０１２５】
また、前記実施例では、バイヤーからの商品登録や、購入者からの代行購入の委託、バイヤーへの指示、購入者からの受領、口座振り込みの完了等の各情報や通知を、全て電子メールにて実施している形態を説明したが、本発明はこれに限定されるものではなく、これらを、サイトのページ上において表示して確認（通知）したり、サイトのページ上にて入力することで通知したりしても良いし、これらメールとサイトのページによる確認（通知）を併存させても良く、これらの形態は、その確認（通知）の発生する時期や種別に応じて、適宜に選択すれば良い。
【０１２６】
また、前記実施例の委託買付システムにおいては、バイヤーが商品登録を実施するために使用するバイヤー端末として、バイヤーが携行可能なカメラ付き携帯電話であるバイヤー電話機１０を利用した例を示したが、本発明はこれに限定されるものではなく、これらバイヤー端末としては、通常のパソコンやノートパソコンをバイヤー端末として用いても良く、この場合には、商品を撮像するための撮像手段が、パソコンやノートパソコンと別体とされたデジタルカメラやウエブカメラ等であっても良い。
【０１２７】
また、前記実施例の委託買付システムにおいては、購入者が使用する端末として、購入者が携行可能な携帯電話である購入者電話機８０を利用した例を示したが、このようにすることは、購入者がどこにいても商品を閲覧でき、買付委託を実施できることから好ましいが、本発明はこれに限定されるものではなく、これら購入者が使用する端末としても、通常のパソコンやノートパソコンを用いても良いことは言うまでもない。
【０１２８】
また、前記実施例の委託買付システムにおいては、登録情報の中に販売店情報を含む形態を例示しているが、本発明はこれに限定されるものではなく、これら販売店情報をバイヤーが出したくない場合等には、必ず販売店情報を登録しないようにしても良く、これら販売店情報を登録・非登録を適宜にバイヤーが選択できるようにしても良い。
【０１２９】
また、前記実施例の委託買付システムにおいては、買付委託の受付け期限を過ぎた場合には、会員からの新たな買付委託を受付けないようにしているが、本発明はこれに限定されるものではなく、これら買付委託の申込がなかった場合には、買付委託の再受付けを実施するか否かや、再受付け回数等を予めバイヤーから受付けて設定しておくことで、買付委託の受付け期限を過ぎた場合に、買付委託の再受付けを実施することが設定されている場合には、自動的に買付委託の再受付けを実施するようにするとともに、買付委託の受付け期限を過ぎたことと、買付委託の再受付けが開始されたことをバイヤーに通知するようにしても良い。
【０１３０】
また、前記実施例の委託買付システムにおいて、購入者が購入委託を希望する商品をリクエストする場合に、バイヤーを指定するために、過去に購入委託したバイヤー以外のバイヤーを検索する際に、各バイヤーの購入を得意とするジャンルを予めバイヤー情報に登録しておき、これらジャンルを購入者が指定することで、該指定したジャンルと同一のジャンルを得意とするジャンルとして登録しているバイヤーのリストが、例えば評価順や地域別等に一覧表示されるようにして、過去に購入委託したバイヤー以外のバイヤーを簡便に指定できる機能を搭載しても良い。
【０１３１】
また、これらバイヤーの検索等において、気に入ったバイヤーが見つかったときに、購入委託を実施していないが、今後において購入委託をしてみたいバイヤーである「マイバイヤー」として登録しておき、購入者が購入委託を希望する商品をリクエストする場合に、前記過去に購入委託したバイヤーとともに、これら「マイバイヤー」を一覧表示して選択指定できるようにしても良い。
【０１３２】
また、前記実施例では、預託手続き処理において、商品価格（代金）の全額を預託するようにしているが、本発明はこれに限定されるものではなく、これら預託する預託金額は、商品価格（代金）の一部のみ、例えば半額として、商品の到着時或いは到着後に残りの半額を徴収するようにしても良い。
【０１３３】
また、前記実施例では、委託買付システムをインターネット３０上に設置しているが、本発明はこれに限定されるものではなく、例えば、エクストラネット、イントラネット等その他の電気通信回線上に設置してもよい。
【０１３４】
また、前記実施例では、バイヤー電話網２０及び購入者電話網７０を個別のものとしているが、本実施例はこれに限定されるものではなく、これら電話網が同一のものであってもよい。
【０１３５】
また、前記実施例では、管理サーバ６０、商品データベース４０、会員データベース５０をインターネット３０に設置しているが、本発明はこれに限定されるものではなく、管理サーバ６０、商品データベース４０、会員データベース５０をバイヤー電話網２０または購入者電話網７０のいずれかに設置してもよい。
【０１３６】
また、前記実施例では、会員端末として購入者電話網７０上の購入者電話機８０を適用しているが、本実施例はこれに限定されるものではなく、インターネット３０上に設けた図示しないパーソナルコンピュータを適用してもよい。
【０１３７】
また、前記実施例では、バイヤー電話機１０及び購入者電話機８０は、管理サーバ６０を介して、商品データベース４０や会員データベース５０に対して情報の登録や検索等を行う構成としているが、本実施例はこれに限定されるものではなく、商品データベース４０や会員データベース５０に記憶された情報の登録や更新機能、バイヤー電話機１０及び購入者電話機８０との情報の送受信機能を設けて、バイヤー電話機１０及び購入者電話機８０から、管理サーバ６０を介さずに商品データベース４０や会員データベース５０に直接アクセスして、情報の登録や検索等を行う構成にしてもよい。
【０１３８】
また、前記実施例では、管理サーバ６０、商品データベース４０、会員データベース５０がインターネット３０を介して接続された構成にしているが、本実施例はこれに限定されるものではなく、管理サーバ６０に図示しない記憶装置を設けて、商品データベース４０と会員データベース５０とを管理サーバ６０の内部に設置する構成にしてもよい。
【０１３９】
また、前記実施例では、バイヤーは請負期限を超えた委託買付を請け負う必要がないため、購入者が請負期限以降に委託買付を手続きできないようにしているが、本発明はこれに限定されるものではなく、購入者から請負期限を超えた委託買付を受け付けるとともに、バイヤーに任意の委託買付案件として提示することで、買付先に出向くコスト、請負総額、請負実績への寄与度などに応じて、バイヤーに承諾を判断させるようにしてもよい。
【０１４０】
また、預託方法としてポイントを用いる場合であれば、バイヤーとなった会員への商品代金の振り込みを、このポイントを用いて実施し、該バイヤーとなった会員がこのようにして取得したポイントを使用して、商品の買付依頼を実施するようにしても良い。尚、この場合には、このポイントを現金化することができるようにすることが望ましい。
【図面の簡単な説明】
【０１４１】
【図１】本発明の実施の形態に係る委託買付システムの概略構成例を説明するための図である。
【図２】同、バイヤー電話機の各部における機能を説明するための図である。
【図３】同、管理サーバの各部を具体的に示すブロック図である。
【図４】本発明の実施の形態に係る買付代行方法の工程例を示す図で、バイヤー電話機のソフトウェアにおける処理について示すフローチャートである。
【図５】同、委託受け付けステップの処理例について示すフローチャートである。
【図６】同、手続処理機能の処理例について示すフローチャートである。
【図７】同、購入者電話機の表示画面において、商品の登録情報などの表示例を示す様式図である。
【図８】同、代金振替機能の処理例について示すフローチャートである。
【図９】本発明の実施の形態に係る他の委託買付システムの概略構成例を説明するための図である。
【図１０】商品データベースに記憶される商品情報を示す図である。
【図１１】会員データベースに記憶される会員情報を示す図である。
【図１２】管理サーバに記憶される記憶される委託情報を示す図である。
【図１３】本発明を適用した実施例２の委託買付システムの処理を示す図である。
【図１４】本発明を適用した実施例２の委託買付システムにおけるサイト運営会社とクレジット会社との間の処理状況を示す図である。
【図１５】本発明を適用した実施例２の委託買付システムの購入委託リクエスト処理を示す図である。
【図１６】その他の形態の委託買付システムにおけるサイト運営会社とクレジット会社との間の処理状況を示す図である。
【符号の説明】
【０１４２】
１０    バイヤー電話機（バイヤー端末）
１９    商品
１９ａ  画像情報
２０    バイヤー電話網（移動体通信回線）
３０    インターネット（電気通信回線）
４０    商品データベース
５０    会員データベース
６０    管理サーバ
７０    購入者電話網（移動体通信回線）
８０    購入者電話機（会員端末）
【図１】
2005174281.tif 000003
【図２】
2005174281.tif 000004
【図３】
2005174281.tif 000005
【図４】
2005174281.tif 000006
【図５】
2005174281.tif 000007
【図６】
2005174281.tif 000008
【図７】
2005174281.tif 000009
【図８】
2005174281.tif 000010
【図９】
2005174281.tif 000011
【図１０】
2005174281.tif 000012
【図１１】
2005174281.tif 000013
【図１２】
2005174281.tif 000014
【図１３】
2005174281.tif 000015
【図１４】
2005174281.tif 000016
【図１５】
2005174281.tif 000017
【図１６】
2005174281.tif 000018